(57)【要約】  この出願は、RRC状態制御のための方法及び装置を提供する。アクセスネットワークデバイスは、UEのRRC接続非アクティブ状態指示情報を取得する。UEがRRC接続状態を出るとき、アクセスネットワークデバイスは、RRC接続非アクティブ状態指示情報に基づいて、UEがRRC接続非アクティブ状態又はRRCアイドル状態に入ると決定する。UEがRRC接続非アクティブ状態に入ると決定したとき、アクセスネットワークデバイスは、UEのコンテキスト情報を記憶し、RRC接続非アクティブ状態に入るコマンドをUEに送出し、それにより、UEは、RRC接続非アクティブ状態に入る。当該方法によれば、アクセスネットワークデバイスは、UEの状態に基づいて、適切なRRC状態に入るようにUEを制御でき、それにより、シグナリングオーバーヘッドを低減し、システム性能を改善する。
2019515601.tif 000002
【特許請求の範囲】
【請求項１】
無線リソース制御RRC状態制御のための方法であって、
アクセスネットワークデバイスにより、ユーザ装置UEの無線リソース制御RRC接続非アクティブ状態指示情報を取得するステップであり、前記RRC接続非アクティブ状態指示情報は、前記UEがRRC接続非アクティブ状態に入るのに適しているか否かを示すために使用され、前記UEのRRC状態は、RRC接続状態と、前記RRC接続非アクティブ状態と、RRCアイドル状態とを少なくとも含む、ステップと、
前記UEが前記RRC接続状態を出るとき、前記アクセスネットワークデバイスにより、前記RRC接続非アクティブ状態指示情報に基づいて、前記UEが前記RRC接続非アクティブ状態又は前記RRCアイドル状態に入ると決定するステップと、
前記アクセスネットワークデバイスが、前記UEが前記RRC接続非アクティブ状態に入ると決定したとき、前記アクセスネットワークデバイスにより、前記UEのコンテキスト情報を記憶し、前記RRC接続非アクティブ状態に入るコマンドを前記UEに送出するステップと
を含む方法。
【請求項２】
アクセスネットワークデバイスにより、UEのRRC接続非アクティブ状態指示情報を取得するステップは、
前記アクセスネットワークデバイスにより、前記UEにより設定されたベアラ、ネットワークスライス及びサービスフローのうち少なくとも１つのRRC接続非アクティブ状態指示情報を取得するステップを含み、
前記アクセスネットワークデバイスにより、前記UEの前記RRC接続非アクティブ状態指示情報に基づいて、前記UEが前記RRC接続非アクティブ状態又は前記RRCアイドル状態に入ると決定するステップは、
前記アクセスネットワークデバイスにより、前記UEにより設定された前記ベアラ、前記ネットワークスライス及び前記サービスフローのうち前記少なくとも１つの前記RRC接続非アクティブ状態指示情報に基づいて、前記UEにより設定された前記ベアラ、前記ネットワークスライス及び前記サービスフローの中の少なくとも１つのベアラ、ネットワークスライス又はサービスフローのRRC接続非アクティブ状態指示情報が、対応するベアラ、ネットワークスライス又はサービスフローが前記RRC接続非アクティブ状態に適していることを示すか否かを決定するステップと、
前記UEにより設定された前記ベアラ、前記ネットワークスライス及び前記サービスフローの中の少なくとも１つのベアラ、ネットワークスライス又はサービスフローが前記RRC接続非アクティブ状態に適しているとき、前記アクセスネットワークデバイスにより、前記UEが前記RRC接続非アクティブ状態に入ると決定し、或いは前記UEにより設定された前記ベアラ、前記ネットワークスライス及び前記サービスフローのうちどれも前記RRC接続非アクティブ状態に適していないとき、前記アクセスネットワークデバイスにより、前記UEが前記RRCアイドル状態に入ると決定するステップと
を含む、請求項１に記載の方法。
【請求項３】
アクセスネットワークデバイスにより、ユーザ装置UEのRRC接続非アクティブ状態指示情報を取得するステップは、
前記アクセスネットワークデバイスにより、前記UEにより設定されたベアラ、ネットワークスライス及びサービスフローのうち少なくとも１つのRRC接続非アクティブ状態指示情報を取得するステップ、及び前記UEのデバイス粒度のRRC接続非アクティブ状態指示情報を取得するステップであり、前記デバイス粒度の前記RRC接続非アクティブ状態指示情報は、前記UEの全てのベアラ、ネットワークスライス及びサービスフローが前記RRC接続非アクティブ状態に入るのに適しているか否かを示すために使用される、ステップを含み、
前記アクセスネットワークデバイスにより、前記RRC接続非アクティブ状態指示情報に基づいて、前記UEが前記RRC接続非アクティブ状態又は前記RRCアイドル状態に入ると決定するステップは、
前記デバイス粒度の前記RRC接続非アクティブ状態指示情報が、前記UEが前記RRC接続非アクティブ状態に適していることを示すとき、前記アクセスネットワークデバイスにより、前記UEが前記RRC接続非アクティブ状態に入ると決定し、或いは前記デバイス粒度の前記RRC接続非アクティブ状態指示情報が、前記UEが前記RRC接続非アクティブ状態に適していないことを示すとき、前記アクセスネットワークデバイスにより、前記UEにより設定された前記ベアラ、前記ネットワークスライス及び前記サービスフローのうち前記少なくとも１つの前記RRC接続非アクティブ状態指示情報に基づいて、前記UEにより設定された前記ベアラ、前記ネットワークスライス及び前記サービスフローの中の少なくとも１つのベアラ、ネットワークスライス又はサービスフローのRRC接続非アクティブ状態指示情報が、対応するベアラ、ネットワークスライス又はサービスフローが前記RRC接続非アクティブ状態に適していることを示すか否かを決定するステップと、
前記UEにより設定された前記ベアラ又は前記ネットワークスライスの中の少なくとも１つのベアラ、ネットワークスライス又はサービスフローが前記RRC接続非アクティブ状態に適しているとき、前記アクセスネットワークデバイスにより、前記UEが前記RRC接続非アクティブ状態に入ると決定し、或いは前記UEにより設定された前記ベアラ、前記ネットワークスライス及び前記サービスフローのうちどれも前記RRC接続非アクティブ状態に適していないとき、前記アクセスネットワークデバイスにより、前記UEが前記RRCアイドル状態に入ると決定するステップと
を含む、請求項１に記載の方法。
【請求項４】
アクセスネットワークデバイスにより、ユーザ装置UEのRRC接続非アクティブ状態指示情報を取得するステップは、
前記アクセスネットワークデバイスにより、前記UEのデバイス粒度のRRC接続非アクティブ状態指示情報を取得するステップであり、前記デバイス粒度の前記RRC接続非アクティブ状態指示情報は、前記UEの全てのベアラ、ネットワークスライス及びサービスフローが前記RRC接続非アクティブ状態に入るのに適しているか否かを示すために使用される、ステップを含み、
前記アクセスネットワークデバイスにより、前記RRC接続非アクティブ状態指示情報に基づいて、前記UEが前記RRC接続非アクティブ状態又は前記RRCアイドル状態に入ると決定するステップは、
前記デバイス粒度の前記RRC接続非アクティブ状態指示情報が、前記UEが前記RRC接続非アクティブ状態に適していることを示すとき、前記アクセスネットワークデバイスにより、前記UEが前記RRC接続非アクティブ状態に入ると決定し、或いは前記デバイス粒度の前記RRC接続非アクティブ状態指示情報が、前記UEが前記RRC接続非アクティブ状態に適していないことを示すとき、前記アクセスネットワークデバイスにより、前記UEが前記RRCアイドル状態に入ると決定するステップを含む、請求項１に記載の方法。
【請求項５】
前記アクセスネットワークデバイスにより、前記UEにより設定されたベアラ、ネットワークスライス及びサービスフローのうち少なくとも１つのRRC接続非アクティブ状態指示情報を取得するステップは、
前記アクセスネットワークデバイスにより、コアネットワークにより送出された前記RRC接続非アクティブ状態指示情報であり、前記UEの前記ベアラ、前記ネットワークスライス及び前記サービスフローのうち前記少なくとも１つのものである前記RRC接続非アクティブ状態指示情報を受信するステップと、
前記アクセスネットワークデバイスにより、前記UEの前記ベアラ、前記ネットワークスライス及び前記サービスフローの前記受信したRRC接続非アクティブ状態指示情報を記憶するステップと
を含む、請求項２又は３に記載の方法。
【請求項６】
前記アクセスネットワークデバイスにより、コアネットワークにより送出された前記RRC接続非アクティブ状態指示情報であり、前記UEの前記ベアラ、前記ネットワークスライス及び前記サービスフローのうち前記少なくとも１つのものである前記RRC接続非アクティブ状態指示情報を受信するステップは、
前記アクセスネットワークデバイスにより、前記コアネットワークにより送出されたベアラ追加要求メッセージ、ネットワークスライス追加要求メッセージ及びサービスフロー追加要求メッセージのうち少なくとも１つを受信するステップであり、前記ベアラ追加要求メッセージは、追加されるベアラのRRC接続非アクティブ状態指示情報を含み、前記ネットワークスライス追加要求メッセージは、追加されるネットワークスライスのRRC接続非アクティブ状態指示情報を含み、前記サービスフロー追加要求メッセージは、追加されるサービスフローのRRC接続非アクティブ状態指示情報を含む、ステップを含む、請求項５に記載の方法。
【請求項７】
前記アクセスネットワークデバイスにより、前記UEにより設定されたベアラ、ネットワークスライス及びサービスフローのうち少なくとも１つのRRC接続非アクティブ状態指示情報を取得するステップは、
前記アクセスネットワークデバイスにより、前記UEにより送出された前記RRC接続非アクティブ状態指示情報であり、前記UEの前記ベアラ、前記ネットワークスライス及び前記サービスフローのうち前記少なくとも１つのものである前記RRC接続非アクティブ状態指示情報を受信するステップと、
前記アクセスネットワークデバイスにより、前記UEの前記ベアラ、前記ネットワークスライス及び前記サービスフローの前記受信したRRC接続非アクティブ状態指示情報を記憶するステップと
を含む、請求項２又は３に記載の方法。
【請求項８】
前記アクセスネットワークデバイスにより、前記UEにより送出された前記RRC接続非アクティブ状態指示情報であり、前記UEの前記ベアラ、前記ネットワークスライス及び前記サービスフローのうち前記少なくとも１つのものである前記RRC接続非アクティブ状態指示情報を受信するステップは、
前記アクセスネットワークデバイスが前記UEのためにベアラ、ネットワークスライス又はサービスフローを追加するとき、前記アクセスネットワークデバイスにより、前記UEにより送出されたベアラ追加完了メッセージ、ネットワークスライス追加完了メッセージ又はサービス設定完了メッセージのうち少なくとも１つを受信するステップであり、前記ベアラ追加完了メッセージは、前記追加されるベアラのRRC接続非アクティブ状態指示情報を含み、前記ネットワークスライス追加完了メッセージは、前記追加されるネットワークスライスのRRC接続非アクティブ状態指示情報を含み、前記サービス設定完了メッセージは、前記追加されるサービスフローのRRC接続非アクティブ状態指示情報を含む、ステップを含む、請求項７に記載の方法。
【請求項９】
前記アクセスネットワークデバイスにより、前記UEのデバイス粒度のRRC接続非アクティブ状態指示情報を取得するステップは、
前記アクセスネットワークデバイスにより、前記デバイス粒度のものである前記RRC接続非アクティブ状態指示情報であり、コアネットワークにより送出された前記RRC接続非アクティブ状態指示情報を受信するステップと、
前記アクセスネットワークデバイスにより、前記デバイス粒度の前記RRC接続非アクティブ状態指示情報を記憶するステップと
を含む、請求項３又は４に記載の方法。
【請求項１０】
前記アクセスネットワークデバイスにより、前記デバイス粒度のものである前記RRC接続非アクティブ状態指示情報であり、コアネットワークにより送出された前記RRC接続非アクティブ状態指示情報を受信するステップは、
前記アクセスネットワークデバイスにより、前記コアネットワークにより送出された初期コンテキスト設定要求メッセージを受信するステップであり、前記初期コンテキスト設定要求メッセージは、前記デバイス粒度の前記RRC接続非アクティブ状態指示情報を含む、ステップを含む、請求項９に記載の方法。
【請求項１１】
前記アクセスネットワークデバイスにより、前記UEのデバイス粒度のRRC接続非アクティブ状態指示情報を取得するステップは、
前記アクセスネットワークデバイスにより、前記デバイス粒度のものである前記RRC接続非アクティブ状態指示情報であり、前記UEにより送出された前記RRC接続非アクティブ状態指示情報を受信するステップと、
前記アクセスネットワークデバイスにより、前記デバイス粒度の前記RRC接続非アクティブ状態指示情報を記憶するステップと
を含む、請求項３又は４に記載の方法。
【請求項１２】
前記アクセスネットワークデバイスにより、前記デバイス粒度のものである前記RRC接続非アクティブ状態指示情報であり、前記UEにより送出された前記RRC接続非アクティブ状態指示情報を受信するステップは、
前記アクセスネットワークデバイスにより、前記UEにより送出されたRRC接続設定完了メッセージを受信するステップであり、前記RRC接続設定完了メッセージは、前記デバイス粒度の前記RRC接続非アクティブ状態指示情報を含む、ステップを含む、請求項１１に記載の方法。
【請求項１３】
前記アクセスネットワークデバイスにより、前記UEのページング情報を取得するステップであり、前記ページング情報は、UEページングアイデンティティと、前記UEのページング機会を決定するために使用される情報とを含む、ステップと、
前記UEが前記RRC接続非アクティブ状態に入った後に、前記アクセスネットワークデバイスにより、前記UEの前記ページング機会を決定するために使用される前記情報に基づいて、前記UEの前記ページング機会を決定するステップと、
前記アクセスネットワークデバイスにより、前記決定されたページング機会に、ページングメッセージを前記UEに送出するステップであり、前記ページングメッセージは、前記UEページングアイデンティティを含む、ステップと
を更に含む、請求項１乃至１２のうちいずれか１項に記載の方法。
【請求項１４】
前記UEページングアイデンティティは、前記UEのアクセス層アイデンティティである、請求項１３に記載の方法。
【請求項１５】
前記UEの前記アクセス層アイデンティティは、再開識別子、セル無線ネットワーク一時識別子C-RNTI、E-UTRANセルグローバル識別子ECGIと前記C-RNTIとの組み合わせ、又は物理セル識別子PCIと前記C-RNTIとの組み合わせを含む、請求項１４に記載の方法。
【請求項１６】
前記アクセスネットワークデバイスにより、ページングメッセージを前記UEに送出した後に、
前記アクセスネットワークデバイスにより、ページング要求メッセージを隣接アクセスネットワークデバイスに送出するステップであり、前記ページング要求メッセージは、前記UEにページングするように前記隣接アクセスネットワークデバイスに要求するために使用され、前記ページング要求メッセージは、前記UEの前記ページング情報を含む、ステップを更に含む、請求項１４又は１５に記載の方法。
【請求項１７】
前記ページングメッセージは、前記UEアイデンティティタイプを含み、前記UEアイデンティティタイプは、前記UEページングアイデンティティが前記アクセス層アイデンティティであることを識別するために使用される、請求項１４に記載の方法。
【請求項１８】
前記アクセスネットワークデバイスにより、前記UEのページング情報を取得するステップは、
前記アクセスネットワークデバイスにより、前記コアネットワークから前記UEの前記ページング情報を要求するステップ、又は
前記アクセスネットワークデバイスにより、前記コアネットワークにより送出された前記UEの前記ページング情報を受信するステップ
を含む、請求項１３に記載の方法。
【請求項１９】
前記アクセスネットワークデバイスにより、前記UEのページング情報を取得するステップは、
前記アクセスネットワークデバイスにより、前記UEから前記UEの前記ページング情報を要求するステップ、又は
前記アクセスネットワークデバイスにより、前記UEにより送出された前記UEの前記ページング情報を受信するステップ
を含む、請求項１３に記載の方法。
【請求項２０】
前記UEが前記RRC接続非アクティブ状態に入った後に、前記アクセスネットワークデバイスにより、前記コアネットワークにより送出された前記UEの下りリンクデータを受信するステップと、
前記アクセスネットワークデバイスにより、前記UEの前記下りリンクデータに基づいて、前記ページングメッセージを前記UEに送出することを決定し、それにより、前記UEは、前記RRC接続非アクティブ状態から前記RRC接続状態に入るステップと
を更に含む、請求項１３に記載の方法。
【請求項２１】
前記アクセスネットワークデバイスにより、前記RRC接続非アクティブ状態指示情報に基づいて、前記UEが前記RRC接続非アクティブ状態又は前記RRCアイドル状態に入ると決定する前に、
前記アクセスネットワークデバイスにより、前記UEが前記RRC接続状態を出る理由を決定するステップと、
前記UEが前記RRC接続状態を出る前記理由が、前記UEが或る期間内にデータ送信を実行しないことであるとき、前記アクセスネットワークデバイスにより、前記RRC接続非アクティブ状態指示情報に基づいて、前記UEが前記RRC接続非アクティブ状態又は前記RRCアイドル状態に入ると決定するステップ、又は
前記UEが前記RRC接続状態を出る前記理由が、以下の理由、すなわち、前記アクセスネットワークデバイスがコアネットワークにより送出されたUEコンテキスト解放コマンドを受信したこと、前記UEのS1インタフェース接続が解放されたこと、及び前記アクセスネットワークデバイスが前記UEが異常であることを識別したことのうちいずれか１つであるとき、前記アクセスネットワークデバイスにより、前記UEが前記RRCアイドル状態に入ると決定するステップと
を更に含む、請求項１に記載の方法。
【請求項２２】
RRC状態制御のための方法であって、
ユーザ装置UEにより、前記UEの無線リソース制御RRC接続非アクティブ状態指示情報をアクセスネットワークデバイスに送出するステップであり、前記RRC接続非アクティブ状態指示情報は、前記UEがRRC接続非アクティブ状態に入るのに適しているか否かを示すために使用され、前記UEのRRC状態は、RRC接続状態と、前記RRC接続非アクティブ状態と、RRCアイドル状態とを少なくとも含む、ステップと、
前記UEが前記RRC接続状態を出るとき、前記UEにより、前記RRC接続非アクティブ状態に入るコマンドであり、前記アクセスネットワークデバイスにより送出されたコマンドを受信するステップであり、前記RRC接続非アクティブ状態に入る前記コマンドは、前記アクセスネットワークデバイスにより前記UEの前記RRC接続非アクティブ状態指示情報に基づいて送出される、ステップと、
前記UEにより、前記RRC接続非アクティブ状態に入る前記コマンドに従って、前記RRC接続非アクティブ状態に入るように前記UEを制御し、前記UEのコンテキスト情報を記憶するステップと
を含む方法。
【請求項２３】
前記UEの前記RRC接続非アクティブ状態指示情報は、以下の情報、すなわち、前記UEにより設定されたベアラ、ネットワークスライス及びサービスフローのうち少なくとも１つのRRC接続非アクティブ状態指示情報、及び前記UEのデバイス粒度のRRC接続非アクティブ状態指示情報のうち少なくとも１つを含み、前記デバイス粒度の前記RRC接続非アクティブ状態指示情報は、前記UEの全てのベアラ、ネットワークスライス及びサービスフローが前記RRC接続非アクティブ状態に入るのに適しているか否かを示すために使用される、請求項２２に記載の方法。
【請求項２４】
前記UEが前記RRC接続非アクティブ状態に入った後に、
前記UEにより、前記UEのページング機会を決定するステップ、及び前記決定されたページング機会に、前記アクセスネットワークデバイスにより送出されたページングメッセージを受信するステップであり、前記ページングメッセージは、UEページングアイデンティティを含み、前記UEページングアイデンティティは、前記UEのアクセス層アイデンティティであるステップと、
前記UEにより、前記ページングメッセージに基づいて、前記RRC接続状態に入るプロセスを前記アクセスネットワークデバイスに対して開始するステップと
を更に含む、請求項２２又は２３に記載の方法。
【請求項２５】
前記UEにより、前記UEのページング機会を決定するステップは、
前記UEにより、前記UEの前記アクセス層アイデンティティに基づいて、前記UEの前記ページング機会を決定するステップを含む、請求項２４に記載の方法。
【請求項２６】
アクセスネットワークデバイスであって、
ユーザ装置UEの無線リソース制御RRC接続非アクティブ状態指示情報を取得するように構成された第１の取得モジュールであり、前記RRC接続非アクティブ状態指示情報は、前記UEがRRC接続非アクティブ状態に入るのに適しているか否かを示すために使用され、前記UEのRRC状態は、RRC接続状態と、前記RRC接続非アクティブ状態と、RRCアイドル状態とを少なくとも含む、第１の取得モジュールと、
前記UEが前記RRC接続状態を出るとき、前記RRC接続非アクティブ状態指示情報に基づいて、前記UEが前記RRC接続非アクティブ状態又は前記RRCアイドル状態に入ると決定するように構成された第１の決定モジュールと、
前記アクセスネットワークデバイスが、前記UEが前記RRC接続非アクティブ状態に入ると決定したとき、前記RRC接続非アクティブ状態に入るコマンドを前記UEに送出するように構成された送出モジュールと、
前記UEのコンテキスト情報を記憶するように構成された記憶モジュールと
を含むアクセスネットワークデバイス。
【請求項２７】
前記第１の取得モジュールは、
前記UEにより設定されたベアラ、ネットワークスライス及びサービスフローのうち少なくとも１つのRRC接続非アクティブ状態指示情報を取得するように具体的に構成され、
前記第１の決定モジュールは、
前記UEにより設定された前記ベアラ、前記ネットワークスライス及び前記サービスフローのうち前記少なくとも１つの前記RRC接続非アクティブ状態指示情報に基づいて、前記UEにより設定された前記ベアラ、前記ネットワークスライス及び前記サービスフローの中の少なくとも１つのベアラ、ネットワークスライス又はサービスフローのRRC接続非アクティブ状態指示情報が、対応するベアラ、ネットワークスライス又はサービスフローが前記RRC接続非アクティブ状態に適していることを示すか否かを決定し、
前記UEにより設定された前記ベアラ、前記ネットワークスライス及び前記サービスフローの中の少なくとも１つのベアラ、ネットワークスライス又はサービスフローが前記RRC接続非アクティブ状態に適しているとき、前記UEが前記RRC接続非アクティブ状態に入ると決定し、或いは前記UEにより設定された前記ベアラ、前記ネットワークスライス及び前記サービスフローのうちどれも前記RRC接続非アクティブ状態に適していないとき、前記UEが前記RRCアイドル状態に入ると決定するように具体的に構成される、請求項２６に記載のアクセスネットワークデバイス。
【請求項２８】
前記第１の取得モジュールは、
前記UEにより設定されたベアラ、ネットワークスライス及びサービスフローのうち少なくとも１つのRRC接続非アクティブ状態指示情報を取得し、前記UEのデバイス粒度のRRC接続非アクティブ状態指示情報を取得するように具体的に構成され、前記デバイス粒度の前記RRC接続非アクティブ状態指示情報は、前記UEの全てのベアラ、ネットワークスライス及びサービスフローが前記RRC接続非アクティブ状態に入るのに適しているか否かを示すために使用され、
前記第１の決定モジュールは、
前記デバイス粒度の前記RRC接続非アクティブ状態指示情報が、前記UEが前記RRC接続非アクティブ状態に適していることを示すとき、前記UEが前記RRC接続非アクティブ状態に入ると決定し、或いは前記デバイス粒度の前記RRC接続非アクティブ状態指示情報が、前記UEが前記RRC接続非アクティブ状態に適していないことを示すとき、前記UEにより設定された前記ベアラ、前記ネットワークスライス及び前記サービスフローのうち前記少なくとも１つの前記RRC接続非アクティブ状態指示情報に基づいて、前記UEにより設定された前記ベアラ、前記ネットワークスライス及び前記サービスフローの中の少なくとも１つのベアラ、ネットワークスライス又はサービスフローのRRC接続非アクティブ状態指示情報が、対応するベアラ、ネットワークスライス又はサービスフローが前記RRC接続非アクティブ状態に適していることを示すか否かを決定し、
前記UEにより設定された前記ベアラ又は前記ネットワークスライスの中の少なくとも１つのベアラ、ネットワークスライス又はサービスフローが前記RRC接続非アクティブ状態に適しているとき、前記UEが前記RRC接続非アクティブ状態に入ると決定し、或いは前記UEにより設定された前記ベアラ、前記ネットワークスライス及び前記サービスフローのうちどれも前記RRC接続非アクティブ状態に適していないとき、前記UEが前記RRCアイドル状態に入ると決定するように具体的に構成される、請求項２６に記載のアクセスネットワークデバイス。
【請求項２９】
前記第１の取得モジュールは、
前記UEのデバイス粒度のRRC接続非アクティブ状態指示情報を取得するように具体的に構成され、前記デバイス粒度の前記RRC接続非アクティブ状態指示情報は、前記UEの全てのベアラ、ネットワークスライス及びサービスフローが前記RRC接続非アクティブ状態に入るのに適しているか否かを示すために使用され、
前記第１の決定モジュールは、
前記デバイス粒度の前記RRC接続非アクティブ状態指示情報が、前記UEが前記RRC接続非アクティブ状態に適していることを示すとき、前記アクセスネットワークデバイスにより、前記UEが前記RRC接続非アクティブ状態に入ると決定し、或いは前記デバイス粒度の前記RRC接続非アクティブ状態指示情報が、前記UEが前記RRC接続非アクティブ状態に適していないことを示すとき、前記アクセスネットワークデバイスにより、前記UEが前記RRCアイドル状態に入ると決定するように具体的に構成される、請求項２６に記載のアクセスネットワークデバイス。
【請求項３０】
前記UEにより設定された前記ベアラ、前記ネットワークスライス及び前記サービスフローのうち前記少なくとも１つの前記RRC接続非アクティブ状態指示情報を取得するとき、前記第１の取得モジュールは、
コアネットワークにより送出された前記RRC接続非アクティブ状態指示情報であり、前記UEの前記ベアラ、前記ネットワークスライス及び前記サービスフローのうち前記少なくとも１つのものである前記RRC接続非アクティブ状態指示情報を受信し、
前記UEの前記ベアラ、前記ネットワークスライス及び前記サービスフローの前記受信したRRC接続非アクティブ状態指示情報を記憶するように具体的に構成される、請求項２７又は２８に記載のアクセスネットワークデバイス。
【請求項３１】
前記第１の取得モジュールは、
前記コアネットワークにより送出されたベアラ追加要求メッセージ、ネットワークスライス追加要求メッセージ及びサービスフロー追加要求メッセージのうち少なくとも１つを受信するように具体的に構成され、前記ベアラ追加要求メッセージは、追加されるベアラのRRC接続非アクティブ状態指示情報を含み、前記ネットワークスライス追加要求メッセージは、追加されるネットワークスライスのRRC接続非アクティブ状態指示情報を含み、前記サービスフロー追加要求メッセージは、追加されるサービスフローのRRC接続非アクティブ状態指示情報を含む、請求項３０に記載のアクセスネットワークデバイス。
【請求項３２】
前記UEにより設定された前記ベアラ、前記ネットワークスライス及び前記サービスフローのうち前記少なくとも１つの前記RRC接続非アクティブ状態指示情報を取得するとき、前記第１の取得モジュールは、
前記UEにより送出された前記RRC接続非アクティブ状態指示情報であり、前記UEの前記ベアラ、前記ネットワークスライス及び前記サービスフローのうち前記少なくとも１つのものである前記RRC接続非アクティブ状態指示情報を受信し、
前記UEの前記ベアラ、前記ネットワークスライス及び前記サービスフローの前記受信したRRC接続非アクティブ状態指示情報を記憶するように具体的に構成される、請求項２７又は２８に記載のアクセスネットワークデバイス。
【請求項３３】
前記第１の取得モジュールは、
前記アクセスネットワークデバイスが前記UEのためにベアラ、ネットワークスライス又はサービスフローを追加するとき、前記UEにより送出されたベアラ追加完了メッセージ、ネットワークスライス追加完了メッセージ又はサービス設定完了メッセージのうち少なくとも１つを受信するように具体的に構成され、前記ベアラ追加完了メッセージは、前記追加されるベアラのRRC接続非アクティブ状態指示情報を含み、前記ネットワークスライス追加完了メッセージは、前記追加されるネットワークスライスのRRC接続非アクティブ状態指示情報を含み、前記サービス設定完了メッセージは、前記追加されるサービスフローのRRC接続非アクティブ状態指示情報を含む、請求項３２に記載のアクセスネットワークデバイス。
【請求項３４】
前記第１の取得モジュールは、
前記デバイス粒度のものである前記RRC接続非アクティブ状態指示情報であり、コアネットワークにより送出された前記RRC接続非アクティブ状態指示情報を受信し、
前記デバイス粒度の前記RRC接続非アクティブ状態指示情報を記憶するように具体的に構成される、請求項２８又は２９に記載のアクセスネットワークデバイス。
【請求項３５】
前記第１の取得モジュールは、
前記コアネットワークにより送出された初期コンテキスト設定要求メッセージを受信するように具体的に構成され、前記初期コンテキスト設定要求メッセージは、前記デバイス粒度の前記RRC接続非アクティブ状態指示情報を含む、請求項３４に記載のアクセスネットワークデバイス。
【請求項３６】
前記第１の取得モジュールは、
前記デバイス粒度のものである前記RRC接続非アクティブ状態指示情報であり、前記UEにより送出された前記RRC接続非アクティブ状態指示情報を受信し、
前記デバイス粒度の前記RRC接続非アクティブ状態指示情報を記憶するように具体的に構成される、請求項２８又は２９に記載のアクセスネットワークデバイス。
【請求項３７】
前記第１の取得モジュールは、
前記UEにより送出されたRRC接続設定完了メッセージを受信するように具体的に構成され、前記RRC接続設定完了メッセージは、前記デバイス粒度の前記RRC接続非アクティブ状態指示情報を含む、請求項３６に記載のアクセスネットワークデバイス。
【請求項３８】
前記UEのページング情報を取得するように構成された第２の取得モジュールであり、前記ページング情報は、UEページングアイデンティティと、前記UEのページング機会を決定するために使用される情報とを含む、第２の取得モジュールと、
前記UEが前記RRC接続非アクティブ状態に入った後に、前記UEの前記ページング機会を決定するために使用される前記情報に基づいて、前記UEの前記ページング機会を決定するように更に構成された第２の決定モジュールと
を更に含み、
前記送出モジュールは、前記決定されたページング機会に、ページングメッセージを前記UEに送出するように更に構成され、前記ページングメッセージは、前記UEページングアイデンティティを含む、請求項２６乃至３７のうちいずれか１項に記載のアクセスネットワークデバイス。
【請求項３９】
前記UEページングアイデンティティは、前記UEのアクセス層アイデンティティである、請求項３８に記載のアクセスネットワークデバイス。
【請求項４０】
前記UEの前記アクセス層アイデンティティは、再開識別子、セル無線ネットワーク一時識別子C-RNTI、E-UTRANセルグローバル識別子ECGIと前記C-RNTIとの組み合わせ、又は物理セル識別子PCIと前記C-RNTIとの組み合わせを含む、請求項３９に記載のアクセスネットワークデバイス。
【請求項４１】
前記ページングメッセージを前記UEに送出した後に、前記送出モジュールは、
ページング要求メッセージを隣接アクセスネットワークデバイスに送出するように更に構成され、前記ページング要求メッセージは、前記UEにページングするように前記隣接アクセスネットワークデバイスに要求するために使用され、前記ページング要求メッセージは、前記UEの前記ページング情報を含む、請求項３９又は４０に記載のアクセスネットワークデバイス。
【請求項４２】
前記ページングメッセージは、前記UEアイデンティティタイプを含み、前記UEアイデンティティタイプは、前記UEページングアイデンティティが前記アクセス層アイデンティティであることを識別するために使用される、請求項３９に記載のアクセスネットワークデバイス。
【請求項４３】
前記第２の取得モジュールは、
前記コアネットワークから前記UEの前記ページング情報を要求するか、或いは
前記コアネットワークにより送出された前記UEの前記ページング情報を受信するように具体的に構成される、請求項３８に記載のアクセスネットワークデバイス。
【請求項４４】
前記第２の取得モジュールは、
前記UEから前記UEの前記ページング情報を要求するか、或いは
前記UEにより送出された前記UEの前記ページング情報を受信するように具体的に構成される、請求項３８に記載のアクセスネットワークデバイス。
【請求項４５】
前記UEが前記RRC接続非アクティブ状態に入った後に、前記コアネットワークにより送出された前記UEの下りリンクデータを受信するように構成された受信モジュールと、
前記UEの前記下りリンクデータに基づいて、前記ページングメッセージを前記UEに送出することを決定し、それにより、前記UEは、前記RRC接続非アクティブ状態から前記RRC接続状態に入るように構成された第３の決定モジュールと
を更に含む、請求項３８に記載のアクセスネットワークデバイス。
【請求項４６】
前記UEが前記RRC接続状態を出る理由を決定するように構成された第４の決定モジュールを更に含み、
前記UEが前記RRC接続状態を出る前記理由が、前記UEが或る期間内にデータ送信を実行しないことであるとき、前記第１の決定モジュールは、前記RRC接続非アクティブ状態指示情報に基づいて、前記UEが前記RRC接続非アクティブ状態又は前記RRCアイドル状態に入ると決定し、或いは
前記UEが前記RRC接続状態を出る前記理由が、以下の理由、すなわち、前記アクセスネットワークデバイスがコアネットワークにより送出されたUEコンテキスト解放コマンドを受信したこと、前記UEのS1インタフェース接続が解放されたこと、及び前記アクセスネットワークデバイスが前記UEが異常であることを識別したことのうちいずれか１つであるとき、前記第１の決定モジュールは、前記UEが前記RRCアイドル状態に入ると決定するように更に構成される、請求項２６に記載のアクセスネットワークデバイス。
【請求項４７】
ユーザ装置UEであって、
前記ユーザ装置UEの無線リソース制御RRC接続非アクティブ状態指示情報をアクセスネットワークデバイスに送出するように構成された送出モジュールであり、前記RRC接続非アクティブ状態指示情報は、前記UEがRRC接続非アクティブ状態に入るのに適しているか否かを示すために使用され、前記UEのRRC状態は、RRC接続状態と、前記RRC接続非アクティブ状態と、RRCアイドル状態とを少なくとも含む、送出モジュールと、
前記UEが前記RRC接続状態を出るとき、前記RRC接続非アクティブ状態に入るコマンドであり、前記アクセスネットワークデバイスにより送出されたコマンドを受信するように構成された受信モジュールであり、前記RRC接続非アクティブ状態に入る前記コマンドは、前記アクセスネットワークデバイスにより前記UEの前記RRC接続非アクティブ状態指示情報に基づいて送出される、受信モジュールと、
前記RRC接続非アクティブ状態に入る前記コマンドに従って、前記RRC接続非アクティブ状態に入るように前記UEを制御するように構成された制御モジュールと、
前記UEのコンテキスト情報を記憶するように構成された記憶モジュールと
を含むUE。
【請求項４８】
前記UEの前記RRC接続非アクティブ状態指示情報は、以下の情報、すなわち、前記UEにより設定されたベアラ、ネットワークスライス及びサービスフローのうち少なくとも１つのRRC接続非アクティブ状態指示情報、及び前記UEのデバイス粒度のRRC接続非アクティブ状態指示情報のうち少なくとも１つを含み、前記デバイス粒度の前記RRC接続非アクティブ状態指示情報は、前記UEの全てのベアラ、ネットワークスライス及びサービスフローが前記RRC接続非アクティブ状態に入るのに適しているか否かを示すために使用される、請求項４７に記載のUE。
【請求項４９】
前記UEのページング機会を決定するように構成された決定モジュールを更に含み、
前記受信モジュールは、前記決定モジュールにより決定された前記ページング機会に、前記アクセスネットワークデバイスにより送出されたページングメッセージを受信するように更に構成され、前記ページングメッセージは、UEページングアイデンティティを含み、前記UEページングアイデンティティは、前記UEのアクセス層アイデンティティであり、
前記制御モジュールは、前記ページングメッセージに基づいて、前記RRC接続状態に入るプロセスを前記アクセスネットワークデバイスに対して開始するように更に構成される、請求項４７又は４８に記載のUE。
【請求項５０】
前記決定モジュールは、
前記UEの前記アクセス層アイデンティティに基づいて、前記UEの前記ページング機会を決定するように具体的に構成される、請求項４９に記載のUE。
【発明の詳細な説明】
【技術分野】
【０００１】
この出願は、通信技術に関し、特に無線リソース制御（Radio  Resource  Control、略称RRC）状態制御のための方法及び装置に関する。
【背景技術】
【０００２】
ロングタームエボリューション（Long  Term  Evolution、略称LTE）システムでは、２つのRRC状態、すなわち、RRC  idle（アイドル状態）及びRRC  connected（接続状態）がユーザ装置（User  Equipment、略称UE）のために定義されている。UEがサービスを実行する必要があるとき、UEは、サービスデータ送信を実行する前に、ネットワークに対してRRC接続を設定する必要があり、具体的には、アイドル状態から接続状態に切り替える必要がある。
【０００３】
UEがアイドル状態から接続状態に切り替えるプロセスにおいて、比較的高いシグナリングオーバーヘッドが生成され、切り替え時間が過度に長く、過度に高い送信遅延をもたらす。次世代ネットワークはLTEシステムのアップグレード版であり、LTEシステムのものより高い送信レートを提供でき、次世代ネットワークは5Gとも呼ばれる。次世代ネットワークでは、UEは同様にRRCアイドル状態及びRRC接続状態を有する。UEがアイドル状態から接続状態に切り替えるプロセスにおいて、比較的高いシグナリングオーバーヘッドが同様に生成され、切り替え時間が過度に長い。その結果、次世代ネットワークの利点が活用できない。
【発明の概要】
【０００４】
この出願は、UEの状態に基づいて、適切なRRC状態に入るようにUEを制御し、それにより、シグナリングオーバーヘッドを低減し、システム性能を改善するための、RRC状態制御のための方法及び装置を提供する。
【０００５】
この出願の第１の態様は、RRC状態制御のための方法を提供し、アクセスネットワークデバイスにより、UEのRRC接続非アクティブ状態指示情報を取得するステップであり、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む、ステップと、UEがRRC接続状態を出るとき、アクセスネットワークデバイスにより、RRC接続非アクティブ状態指示情報に基づいて、UEがRRC接続非アクティブ状態又はRRCアイドル状態に入ると決定するステップと、アクセスネットワークデバイスが、UEがRRC接続非アクティブ状態に入ると決定したとき、アクセスネットワークデバイスにより、UEのコンテキスト情報を記憶し、RRC接続非アクティブ状態に入るコマンドをUEに送出するステップとを含む。当該方法によれば、アクセスネットワークデバイスは、UEの状態に基づいて、適切なRRC状態に入るようにUEを制御でき、それにより、シグナリングオーバーヘッドを低減し、システム性能を改善する。
【０００６】
任意選択で、アクセスネットワークデバイスは、UEにより設定されたベアラ、ネットワークスライス及びサービスフローのうち少なくとも１つのRRC接続非アクティブ状態指示情報を取得する。対応して、アクセスネットワークデバイスは、UEにより設定されたベアラ、ネットワークスライス及びサービスフローのうち少なくとも１つのRRC接続非アクティブ状態指示情報に基づいて、UEがRRC接続非アクティブ状態に入るのに適しているか否かを決定する。アクセスネットワークデバイスは、UEのベアラ、ネットワークスライス及びサービスフローのRRC接続非アクティブ状態指示情報に基づいて、適切なRRC状態に入るようにUEを制御し、それにより、ベアラ及びネットワークスライスを通じて実行されるデータ送信の遅延を低減し、システム性能を改善する。
【０００７】
任意選択で、アクセスネットワークデバイスは、UEにより設定されたベアラ、ネットワークスライス及びサービスフローのうち少なくとも１つのRRC接続非アクティブ状態指示情報を取得し、UEのデバイス粒度のRRC接続非アクティブ状態指示情報を取得し、デバイス粒度のRRC接続非アクティブ状態指示情報は、UEの全てのベアラ、ネットワークスライス及びサービスフローがRRC接続非アクティブ状態に入るのに適しているか否かを示すために使用される。
【０００８】
対応して、アクセスネットワークデバイスは、まず、デバイス粒度のRRC接続非アクティブ状態指示情報に基づいて、UEがRRC接続非アクティブ状態に入るのに適しているか否かを決定する。デバイス粒度のRRC接続非アクティブ状態指示情報が、UEがRRC接続非アクティブ状態に適していることを示すとき、アクセスネットワークデバイスは、UEがRRC接続非アクティブ状態に入ると決定する。代替として、デバイス粒度のRRC接続非アクティブ状態指示情報が、UEがRRC接続非アクティブ状態に適していないことを示すとき、アクセスネットワークデバイスは、UEにより設定されたベアラ、ネットワークスライス及びサービスフローのうち少なくとも１つのRRC接続非アクティブ状態指示情報に基づいて、UEがRRC接続非アクティブ状態に入るのに適しているか否かを決定する。
【０００９】
具体的には、アクセスネットワークデバイスが、UEにより設定されたベアラ、ネットワークスライス及びサービスフローのうち少なくとも１つのRRC接続非アクティブ状態指示情報に基づいて、UEがRRC接続非アクティブ状態に入るのに適しているか否かを決定することは、アクセスネットワークデバイスにより、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定し、UEにより設定されたベアラ、ネットワークスライス及びサービスフローの中の少なくとも１つのベアラ、ネットワークスライス又はサービスフローがRRC接続非アクティブ状態に適しているとき、アクセスネットワークデバイスにより、UEがRRC接続非アクティブ状態に入ると決定し、或いはUEにより設定されたベアラ、ネットワークスライス及びサービスフローのうちどれもRRC接続非アクティブ状態に適していないとき、アクセスネットワークデバイスにより、UEがRRCアイドル状態に入ると決定することを含む。
【００１０】
任意選択で、アクセスネットワークデバイスは、UEのデバイス粒度のRRC接続非アクティブ状態指示情報を取得する。デバイス粒度のRRC接続非アクティブ状態指示情報が、UEがRRC接続非アクティブ状態に適していることを示すとき、アクセスネットワークデバイスは、UEがRRC接続非アクティブ状態に入ると決定し、或いはデバイス粒度のRRC接続非アクティブ状態指示情報が、UEがRRC接続非アクティブ状態に適していないことを示すとき、アクセスネットワークデバイスは、UEがRRCアイドル状態に入ると決定する。
【００１１】
任意選択で、アクセスネットワークデバイスは、以下の方式で、UEにより設定されたベアラ、ネットワークスライス及びサービスフローのうち少なくとも１つのRRC接続非アクティブ状態指示情報を取得する。
【００１２】
アクセスネットワークデバイスは、コアネットワークにより送出されたRRC接続非アクティブ状態指示情報であり、UEのベアラ、ネットワークスライス及びサービスフローのうち少なくとも１つのものであるRRC接続非アクティブ状態指示情報を受信し、UEのベアラ、ネットワークスライス及びサービスフローの受信したRRC接続非アクティブ状態指示情報を記憶する。ベアラのRRC接続非アクティブ状態指示情報は、コアネットワークによりアクセスネットワークデバイスに送出されたベアラ追加要求メッセージに含まれ、ネットワークスライスのRRC接続非アクティブ状態指示情報は、コアネットワークによりアクセスネットワークデバイスに送出されたネットワークスライス追加要求メッセージに含まれ、サービスフローのRRC接続非アクティブ状態指示情報は、コアネットワークによりアクセスネットワークデバイスに送出されたサービスフロー追加要求メッセージに含まれる。
【００１３】
代替として、アクセスネットワークデバイスは、UEにより送出されたRRC接続非アクティブ状態指示情報であり、UEのベアラ、ネットワークスライス及びサービスフローのうち少なくとも１つのものであるRRC接続非アクティブ状態指示情報を受信し、UEのベアラ、ネットワークスライス及びサービスフローの受信したRRC接続非アクティブ状態指示情報を記憶する。ベアラのRRC接続非アクティブ状態指示情報は、UEによりアクセスネットワークデバイスに送出されたベアラ追加完了メッセージに含まれ、ネットワークスライスのRRC接続非アクティブ状態指示情報は、UEによりアクセスネットワークデバイスに送出されたネットワークスライス追加完了メッセージに含まれ、サービスフローのRRC接続非アクティブ状態指示情報は、UEによりアクセスネットワークデバイスに送出されたサービスフロー追加完了メッセージに含まれる。
【００１４】
任意選択で、アクセスネットワークデバイスは、以下の方式で、UEのデバイス粒度のRRC接続非アクティブ状態指示情報を取得する。
【００１５】
アクセスネットワークデバイスは、デバイス粒度のものであるRRC接続非アクティブ状態指示情報であり、コアネットワークにより送出されたRRC接続非アクティブ状態指示情報を受信して記憶する。具体的には、デバイス粒度のRRC接続非アクティブ状態指示情報は、UEによりアクセスネットワークデバイスに送出された初期コンテキスト設定要求メッセージに含まれてもよい。
【００１６】
代替として、アクセスネットワークデバイスは、デバイス粒度のものであるRRC接続非アクティブ状態指示情報であり、UEにより送出されたRRC接続非アクティブ状態指示情報を受信して記憶する。具体的には、デバイス粒度のRRC接続非アクティブ状態指示情報は、UEによりアクセスネットワークデバイスに送出されたRRC接続設定完了メッセージに含まれてもよい。
【００１７】
さらに、当該方法は、アクセスネットワークデバイスにより、UEのページング情報を取得するステップであり、ページング情報は、UEページングアイデンティティと、UEのページング機会を決定するために使用される情報とを含む、ステップと、UEがRRC接続非アクティブ状態に入った後に、アクセスネットワークデバイスにより、UEのページング機会を決定するために使用される情報に基づいて、UEのページング機会を決定するステップと、決定されたページング機会に、ページングメッセージをUEに送出するステップであり、ページングメッセージは、UEページングアイデンティティ（UE  Paging  Identity）を含む、ステップとを更に含む。アクセスネットワークデバイスは、UEをアクティブにページングし、UEがRRC接続非アクティブ状態からRRC接続状態に入るのをトリガーし、それにより、コアネットワークへの透明性を改善し、シグナリングオーバーヘッドを低減し、コアネットワークとアクセスネットワークデバイスとの間の結合を低減する。
【００１８】
任意選択で、UEページングアイデンティティは、UEのアクセス層アイデンティティである。UEのアクセス層アイデンティティは、再開識別子（Resumed  ID）、セル無線ネットワーク一時識別子（Cell  Radio  Network  Temporary  Identifier、略称C-RNTI）、E-UTRANセルグローバル識別子（Evolved  Cell  Global  Identifier、略称ECGI）とC-RNTIとの組み合わせ、又は物理セル識別子（Physical  cell  Identifier、略称PCI）とC-RNTIとの組み合わせを含む。
【００１９】
任意選択で、ページングメッセージをUEに送出した後に、アクセスネットワークデバイスは、ページング要求メッセージを隣接アクセスネットワークデバイスに更に送出し、ページング要求メッセージは、UEにページングするように隣接アクセスネットワークデバイスに要求するために使用され、ページング要求メッセージは、UEのページング情報を含む。
【００２０】
任意選択で、ページングメッセージは、UEアイデンティティタイプを含み、UEアイデンティティタイプは、UEページングアイデンティティがアクセス層アイデンティティであることを識別するために使用される。
【００２１】
任意選択で、UEページングアイデンティティがアクセス層アイデンティティでないとき、アクセスネットワークデバイスは、コアネットワーク又はUEからUEのページング情報を要求するか、或いはアクセスネットワークデバイスは、コアネットワーク又はUEにより送出されたUEのページング情報を受信する。
【００２２】
任意選択で、UEがRRC接続非アクティブ状態に入った後に、アクセスネットワークデバイスがコアネットワークにより送出されたUEの下りリンクデータを受信したとき、アクセスネットワークデバイスは、UEの下りリンクデータに基づいて、ページングメッセージをUEに送出することを決定し、それにより、UEは、RRC接続非アクティブ状態からRRC接続状態に入る。
【００２３】
任意選択で、アクセスネットワークデバイスにより、RRC接続非アクティブ状態指示情報に基づいて、UEがRRC接続非アクティブ状態又はRRCアイドル状態に入ると決定する前に、当該方法は、
アクセスネットワークデバイスにより、UEがRRC接続状態を出る理由を決定するステップと、UEがRRC接続状態を出る理由が、UEが或る期間内にデータ送信を実行しないことであるとき、アクセスネットワークデバイスにより、RRC接続非アクティブ状態指示情報に基づいて、UEがRRC接続非アクティブ状態又はRRCアイドル状態に入ると決定するステップ、又はUEがRRC接続状態を出る理由が、以下の理由、すなわち、アクセスネットワークデバイスがコアネットワークにより送出されたUEコンテキスト解放コマンドを受信したこと、UEのS1インタフェース接続が解放されたこと、及びアクセスネットワークデバイスがUEが異常であることを識別したことのうちいずれか１つであるとき、アクセスネットワークデバイスにより、UEがRRCアイドル状態に入ると決定するステップとを更に含む。
【００２４】
この出願の第２の態様は、RRC状態制御のための方法を提供し、
UEにより、UEのRRC接続非アクティブ状態指示情報をアクセスネットワークデバイスに送出するステップと、UEがRRC接続状態を出るとき、UEにより、RRC接続非アクティブ状態に入るコマンドであり、アクセスネットワークデバイスにより送出されたコマンドを受信するステップであり、RRC接続非アクティブ状態に入るコマンドは、アクセスネットワークデバイスによりUEのRRC接続非アクティブ状態指示情報に基づいて送出される、ステップと、UEにより、RRC接続非アクティブ状態に入るコマンドに従って、RRC接続非アクティブ状態に入るようにUEを制御し、UEのコンテキスト情報を記憶するステップとを含む。
【００２５】
任意選択で、UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含む。
【００２６】
UEがRRC接続非アクティブ状態に入った後に、当該方法は、
UEにより、UEのページング機会を決定するステップ、及び決定されたページング機会に、アクセスネットワークデバイスにより送出されたページングメッセージを受信するステップであり、ページングメッセージは、UEページングアイデンティティを含み、UEページングアイデンティティは、UEのアクセス層アイデンティティであるステップと、UEにより、ページングメッセージに基づいて、RRC接続状態に入るプロセスをアクセスネットワークデバイスに対して開始するステップとを更に含む。任意選択で、UEは、UEのアクセス層アイデンティティに基づいて、UEのページング機会を決定する。
【００２７】
この出願の第３の態様は、RRC状態制御のための方法を提供し、コアネットワークデバイスにより、UEについての情報に基づいて、UEがRRC接続非アクティブ状態に入るのに適しているか否かを決定するステップと、UEがRRC接続非アクティブ状態に入るのに適していると決定したとき、コアネットワークデバイスにより、UEのRRC接続非アクティブ状態指示情報をアクセスネットワークデバイスに送出するステップとを含む。
【００２８】
任意選択で、UEについての情報は、以下の情報、すなわち、UEのタイプ、UEの加入情報、UEのために追加されるベアラについての情報、UEのために追加されるネットワークスライスについての情報、及びUEのために追加されるサービスフローについての情報のうち少なくとも１つを含む。UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含む。
【００２９】
この出願の第４の態様は、アクセスネットワークデバイスを提供し、アクセスネットワークデバイスは、第１の取得モジュールと、第１の決定モジュールと、送出モジュールと、記憶モジュールとを含む。
【００３０】
第１の取得モジュールは、UEのRRC接続非アクティブ状態指示情報を取得するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【００３１】
第１の決定モジュールは、UEがRRC接続状態を出るとき、RRC接続非アクティブ状態指示情報に基づいて、UEがRRC接続非アクティブ状態又はRRCアイドル状態に入ると決定するように構成される。送出モジュールは、第１の決定モジュールが、UEがRRC接続非アクティブ状態に入ると決定したとき、RRC接続非アクティブ状態に入るコマンドをUEに送出するように構成される。記憶モジュールは、送出モジュールがRRC接続非アクティブに入るコマンドを送出した後に、UEのコンテキスト情報を記憶するように構成される。
【００３２】
任意選択で、第１の取得モジュールは、UEにより設定されたベアラ、ネットワークスライス及びサービスフローのうち少なくとも１つのRRC接続非アクティブ状態指示情報を取得するように具体的に構成される。対応して、第１の決定モジュールは、UEにより設定されたベアラ、ネットワークスライス及びサービスフローのうち少なくとも１つのRRC接続非アクティブ状態指示情報に基づいて、UEがRRC接続非アクティブ状態に入るのに適しているか否かを決定するように具体的に構成される。
【００３３】
代替として、第１の取得モジュールは、UEにより設定されたベアラ、ネットワークスライス及びサービスフローのうち少なくとも１つのRRC接続非アクティブ状態指示情報を取得し、UEのデバイス粒度のRRC接続非アクティブ状態指示情報を取得するように具体的に構成され、デバイス粒度のRRC接続非アクティブ状態指示情報は、UEの全てのベアラ、ネットワークスライス及びサービスフローがRRC接続非アクティブ状態に入るのに適しているか否かを示すために使用される。対応して、第１の決定モジュールは、デバイス粒度のRRC接続非アクティブ状態指示情報が、UEがRRC接続非アクティブ状態に適していることを示すとき、UEがRRC接続非アクティブ状態に入ると決定し、或いはデバイス粒度のRRC接続非アクティブ状態指示情報が、UEがRRC接続非アクティブ状態に適していないことを示すとき、UEにより設定されたベアラ、ネットワークスライス及びサービスフローのうち少なくとも１つのRRC接続非アクティブ状態指示情報に基づいて、UEがRRC接続非アクティブ状態に入るのに適しているか否かを決定するように具体的に構成される。
【００３４】
代替として、第１の取得モジュールは、具体的に、UEのデバイス粒度のRRC接続非アクティブ状態指示情報のみを取得する。対応して、第１の決定モジュールは、デバイス粒度のRRC接続非アクティブ状態指示情報が、UEがRRC接続非アクティブ状態に適していることを示すとき、アクセスネットワークデバイスにより、UEがRRC接続非アクティブ状態に入ると決定し、或いはデバイス粒度のRRC接続非アクティブ状態指示情報が、UEがRRC接続非アクティブ状態に適していないことを示すとき、アクセスネットワークデバイスにより、UEがRRCアイドル状態に入ると決定するように具体的に構成される。
【００３５】
UEにより設定されたベアラ、ネットワークスライス及びサービスフローのうち少なくとも１つのRRC接続非アクティブ状態指示情報に基づいて、UEがRRC接続非アクティブ状態に入るのに適しているか否かを決定するとき、第１の決定モジュールは、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定し、UEにより設定されたベアラ、ネットワークスライス及びサービスフローの中の少なくとも１つのベアラ、ネットワークスライス又はサービスフローがRRC接続非アクティブ状態に適しているとき、UEがRRC接続非アクティブ状態に入ると決定し、或いはUEにより設定されたベアラ、ネットワークスライス及びサービスフローのうちどれもRRC接続非アクティブ状態に適していないとき、UEがRRCアイドル状態に入ると決定する。
【００３６】
任意選択で、第１の取得モジュールは、以下の方式で、UEのベアラ、ネットワークスライス及びサービスフローのうち少なくとも１つのRRC接続非アクティブ状態指示情報を取得する。
【００３７】
第１の取得モジュールは、コアネットワークにより送出されたRRC接続非アクティブ状態指示情報であり、UEのベアラ、ネットワークスライス及びサービスフローのうち少なくとも１つのものであるRRC接続非アクティブ状態指示情報を受信し、UEのベアラ、ネットワークスライス及びサービスフローの受信したRRC接続非アクティブ状態指示情報を記憶する。具体的には、第１の取得モジュールは、コアネットワークにより送出されたベアラ追加要求メッセージ、ネットワークスライス追加要求メッセージ及びサービスフロー追加要求メッセージのうち少なくとも１つを受信し、ベアラ追加要求メッセージは、追加されるベアラのRRC接続非アクティブ状態指示情報を含み、ネットワークスライス追加要求メッセージは、追加されるネットワークスライスのRRC接続非アクティブ状態指示情報を含み、サービスフロー追加要求メッセージは、追加されるサービスフローのRRC接続非アクティブ状態指示情報を含む。
【００３８】
代替として、第１の取得モジュールは、UEにより送出されたRRC接続非アクティブ状態指示情報であり、UEのベアラ、ネットワークスライス及びサービスフローのうち少なくとも１つのものであるRRC接続非アクティブ状態指示情報を受信し、UEのベアラ、ネットワークスライス及びサービスフローの受信したRRC接続非アクティブ状態指示情報を記憶する。具体的には、第１の取得モジュールは、UEにより送出されたベアラ追加完了メッセージ、ネットワークスライス追加完了メッセージ又はサービス設定完了メッセージのうち少なくとも１つを受信し、ベアラ追加完了メッセージは、追加されるベアラのRRC接続非アクティブ状態指示情報を含み、ネットワークスライス追加完了メッセージは、追加されるネットワークスライスのRRC接続非アクティブ状態指示情報を含み、サービス設定完了メッセージは、追加されるサービスフローのRRC接続非アクティブ状態指示情報を含む。
【００３９】
任意選択で、第１の取得モジュールは、以下の方式で、UEのデバイス粒度のRRC接続非アクティブ状態指示情報を取得する。
【００４０】
第１の取得モジュールは、デバイス粒度のものであるRRC接続非アクティブ状態指示情報であり、コアネットワーク又はUEにより送出されたRRC接続非アクティブ状態指示情報を受信し、デバイス粒度のRRC接続非アクティブ状態指示情報を記憶する。具体的には、第１の取得モジュールは、コアネットワークにより送出された初期コンテキスト設定要求メッセージを受信し、初期コンテキスト設定要求メッセージは、デバイス粒度のRRC接続非アクティブ状態指示情報を含む。代替として、第１の取得モジュールは、UEにより送出されたRRC接続設定完了メッセージを受信し、RRC接続設定完了メッセージは、デバイス粒度のRRC接続非アクティブ状態指示情報を含む。
【００４１】
任意選択で、アクセスネットワークデバイスは、第４の決定モジュールを更に含む。第４の決定モジュールは、UEがRRC接続状態を出る理由を決定するように構成される。UEがRRC接続状態を出る理由が、UEが或る期間内にデータ送信を実行しないことであるとき、第１の決定モジュールは、RRC接続非アクティブ状態指示情報に基づいて、UEがRRC接続非アクティブ状態又はRRCアイドル状態に入ると決定し、或いはUEがRRC接続状態を出る理由が、以下の理由、すなわち、アクセスネットワークデバイスがコアネットワークにより送出されたUEコンテキスト解放コマンドを受信したこと、UEのS1インタフェース接続が解放されたこと、及びアクセスネットワークデバイスが異常を識別したことのうちいずれか１つであるとき、第１の決定モジュールは、UEがRRCアイドル状態に入ると決定するように更に構成される。
【００４２】
さらに、アクセスネットワークデバイスは、第２の取得モジュールと、第２の決定モジュールとを更に含む。第２の取得モジュールは、UEのページング情報を取得するように構成され、ページング情報は、UEページングアイデンティティと、UEのページング機会を決定するために使用される情報とを含む。第２の決定モジュールは、UEがRRC接続非アクティブ状態に入った後に、UEのページング機会を決定するために使用される情報に基づいて、UEのページング機会を決定するように構成される。送出モジュールは、決定されたページング機会に、ページングメッセージをUEに送出するように構成され、ページングメッセージは、UEページングアイデンティティを含む。
【００４３】
任意選択で、UEページングアイデンティティは、UEのアクセス層アイデンティティであり、UEのアクセス層アイデンティティは、再開識別子、C-RNTI、ECGIとC-RNTIとの組み合わせ、又はPCIとC-RNTIとの組み合わせを含む。
【００４４】
任意選択で、ページングメッセージをUEに送出した後に、送出モジュールは、ページング要求メッセージを隣接アクセスネットワークデバイスに送出するように更に構成され、ページング要求メッセージは、UEにページングするように隣接アクセスネットワークデバイスに要求するために使用され、ページング要求メッセージは、UEのページング情報を含む。
【００４５】
任意選択で、ページングメッセージは、UEアイデンティティタイプを含み、UEアイデンティティタイプは、UEページングアイデンティティがアクセス層アイデンティティであることを識別するために使用される。
【００４６】
任意選択で、第２の取得モジュールは、コアネットワーク又はUEからUEのページング情報を要求するか、或いはコアネットワーク又はUEにより送出されたUEのページング情報を受信するように具体的に構成される。
【００４７】
任意選択で、アクセスネットワークデバイスは、受信モジュールと、第３の決定モジュールとを更に含む。受信モジュールは、UEがRRC接続非アクティブ状態に入った後に、コアネットワークにより送出されたUEの下りリンクデータを受信するように構成される。第３の決定モジュールは、UEの下りリンクデータに基づいて、ページングメッセージをUEに送出することを決定するように構成され、それにより、UEは、RRC接続非アクティブ状態からRRC接続状態に入る。
【００４８】
この出願の第５の態様は、送出モジュールと、受信モジュールと、制御モジュールと、記憶モジュールとを含むUEを提供する。送出モジュールは、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【００４９】
受信モジュールは、UEがRRC接続状態を出るとき、RRC接続非アクティブ状態に入るコマンドであり、アクセスネットワークデバイスにより送出されたコマンドを受信するように構成され、RRC接続非アクティブ状態に入るコマンドは、アクセスネットワークデバイスによりUEのRRC接続非アクティブ状態指示情報に基づいて送出される。
【００５０】
制御モジュールは、RRC接続非アクティブ状態に入るコマンドに従って、RRC接続非アクティブ状態に入るようにUEを制御するように構成される。記憶モジュールは、UEがRRC接続非アクティブ状態に入った後に、UEのコンテキスト情報を記憶するように構成される。
【００５１】
この実施例では、UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含み、デバイス粒度のRRC接続非アクティブ状態指示情報は、UEの全てのベアラ、ネットワークスライス及びサービスフローがRRC接続非アクティブ状態に入るのに適しているか否かを示すために使用される。
【００５２】
任意選択で、UEは、決定モジュールを更に含む。決定モジュールは、UEのページング機会を決定するように構成される。受信モジュールは、決定モジュールにより決定されたページング機会に、アクセスネットワークデバイスにより送出されたページングメッセージを受信するように更に構成され、ページングメッセージは、UEページングアイデンティティを含み、UEページングアイデンティティは、UEのアクセス層アイデンティティである。制御モジュールは、ページングメッセージに基づいて、RRC接続状態に入るプロセスをアクセスネットワークデバイスに対して開始するように更に構成される。具体的には、決定モジュールは、UEのアクセス層アイデンティティに基づいて、UEのページング機会を決定する。
【００５３】
この出願の第６の態様は、決定モジュールと、送出モジュールとを含むコアネットワークデバイスを提供する。決定モジュールは、UEについての情報に基づいて、UEが接続非アクティブ状態に入るのに適しているか否かを決定するように構成され、UEのRRC状態は、RRC接続状態と、RRC接続非アクティブ状態と、RRCアイドル状態とを少なくとも含む。
【００５４】
送出モジュールは、決定モジュールが、UEがRRC接続非アクティブ状態に入るのに適していると決定したとき、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用される。
【００５５】
UEについての情報は、以下の情報、すなわち、UEのタイプ、UEの加入情報、UEのために追加されるベアラについての情報、UEのために追加されるネットワークスライスについての情報、及びUEのために追加されるサービスフローについての情報のうち少なくとも１つを含む。UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含み、デバイス粒度のRRC接続非アクティブ状態指示情報は、UEの全てのベアラ、ネットワークスライス及びサービスフローがRRC接続非アクティブ状態に入るのに適しているか否かを示すために使用される。
【００５６】
この出願の第７の態様は、アクセスネットワークデバイスを提供し、アクセスネットワークデバイスは、プロセッサと、送信機と、受信機と、メモリとを含む。送信機、受信機及びメモリは、バスを使用することによりプロセッサに接続される。送信機は、データを他のデバイスに送出するように構成される。受信機は、他のデバイスにより送出されたデータを受信するように構成される。メモリは、コンピュータプログラムを記憶するように構成される。プロセッサは、メモリに記憶されたプログラムを実行するように構成され、それにより、アクセスネットワークデバイスは、この出願の第１の態様におけるいずれかの方法を実行する。具体的には、プロセッサは、UEのRRC接続非アクティブ状態指示情報を取得するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【００５７】
プロセッサは、UEがRRC接続状態を出るとき、RRC接続非アクティブ状態指示情報に基づいて、UEがRRC接続非アクティブ状態又はRRCアイドル状態に入ると決定するように更に構成される。
【００５８】
送信機は、UEがRRC接続非アクティブ状態に入ると決定されたとき、RRC接続非アクティブ状態に入るコマンドをUEに送出するように構成される。
【００５９】
メモリは、UEのコンテキスト情報を記憶するように構成される。
【００６０】
任意選択で、プロセッサは、
UEにより設定されたベアラ、ネットワークスライス及びサービスフローのうち少なくとも１つのRRC接続非アクティブ状態指示情報を取得し、UEにより設定されたベアラ、ネットワークスライス及びサービスフローのうち少なくとも１つのRRC接続非アクティブ状態指示情報に基づいて、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定し、
UEにより設定されたベアラ、ネットワークスライス及びサービスフローの中の少なくとも１つのベアラ、ネットワークスライス又はサービスフローがRRC接続非アクティブ状態に適しているとき、UEがRRC接続非アクティブ状態に入ると決定し、或いはUEにより設定されたベアラ、ネットワークスライス及びサービスフローのうちどれもRRC接続非アクティブ状態に適していないとき、UEがRRCアイドル状態に入ると決定する
ように具体的に構成される。
【００６１】
任意選択で、プロセッサは、
UEにより設定されたベアラ、ネットワークスライス及びサービスフローのうち少なくとも１つのRRC接続非アクティブ状態指示情報を取得し、UEのデバイス粒度のRRC接続非アクティブ状態指示情報を取得し、デバイス粒度のRRC接続非アクティブ状態指示情報は、UEの全てのベアラ、ネットワークスライス及びサービスフローがRRC接続非アクティブ状態に入るのに適しているか否かを示すために使用され、
デバイス粒度のRRC接続非アクティブ状態指示情報が、UEがRRC接続非アクティブ状態に適していることを示すとき、UEがRRC接続非アクティブ状態に入ると決定し、或いは、デバイス粒度のRRC接続非アクティブ状態指示情報が、UEがRRC接続非アクティブ状態に適していないことを示すとき、UEにより設定されたベアラ、ネットワークスライス及びサービスフローのうち少なくとも１つのRRC接続非アクティブ状態指示情報に基づいて、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定し、
UEにより設定されたベアラ、ネットワークスライス及びサービスフローの中の少なくとも１つのベアラ、ネットワークスライス又はサービスフローがRRC接続非アクティブ状態に適しているとき、UEがRRC接続非アクティブ状態に入ると決定し、或いはUEにより設定されたベアラ、ネットワークスライス及びサービスフローのうちどれもRRC接続非アクティブ状態に適していないとき、UEがRRCアイドル状態に入ると決定する
ように具体的に構成される。
【００６２】
任意選択で、プロセッサは、
UEのデバイス粒度のRRC接続非アクティブ状態指示情報を取得し、デバイス粒度のRRC接続非アクティブ状態指示情報は、UEの全てのベアラ、ネットワークスライス及びサービスフローがRRC接続非アクティブ状態に入るのに適しているか否かを示すために使用され、
デバイス粒度のRRC接続非アクティブ状態指示情報が、UEがRRC接続非アクティブ状態に適していることを示すとき、UEがRRC接続非アクティブ状態に入ると決定し、或いはデバイス粒度のRRC接続非アクティブ状態指示情報が、UEがRRC接続非アクティブ状態に適していないことを示すとき、UEがRRCアイドル状態に入ると決定する
ように具体的に構成される。
【００６３】
任意選択で、受信機は、コアネットワークにより送出されたベアラ追加要求メッセージ、ネットワークスライス追加要求メッセージ及びサービスフロー追加要求メッセージのうち少なくとも１つを受信するように更に構成され、ベアラ追加要求メッセージは、追加されるベアラのRRC接続非アクティブ状態指示情報を含み、ネットワークスライス追加要求メッセージは、追加されるネットワークスライスのRRC接続非アクティブ状態指示情報を含み、サービスフロー追加要求メッセージは、追加されるサービスフローのRRC接続非アクティブ状態指示情報を含む。
【００６４】
代替として、受信機は、UEにより送出されたベアラ追加完了メッセージ、ネットワークスライス追加完了メッセージ又はサービス設定完了メッセージのうち少なくとも１つを受信し、ベアラ追加完了メッセージは、追加されるベアラのRRC接続非アクティブ状態指示情報を含み、ネットワークスライス追加完了メッセージは、追加されるネットワークスライスのRRC接続非アクティブ状態指示情報を含み、サービス設定完了メッセージは、追加されるサービスフローのRRC接続非アクティブ状態指示情報を含む。
【００６５】
任意選択で、受信機は、コアネットワークにより送出された初期コンテキスト設定要求メッセージを受信するように更に構成され、初期コンテキスト設定要求メッセージは、デバイス粒度のRRC接続非アクティブ状態指示情報を含む。
【００６６】
代替として、受信機は、UEにより送出されたRRC接続設定完了メッセージを受信し、RRC接続設定完了メッセージは、デバイス粒度のRRC接続非アクティブ状態指示情報を含む。
【００６７】
さらに、プロセッサは、UEのページング情報を取得し、ページング情報は、UEページングアイデンティティと、UEのページング機会を決定するために使用される情報とを含み、UEがRRC接続非アクティブ状態に入った後に、UEのページング機会を決定するために使用される情報に基づいて、UEのページング機会を決定するように更に構成される。
【００６８】
対応して、送信機は、決定されたページング機会に、ページングメッセージをUEに送出するように構成され、ページングメッセージは、UEページングアイデンティティを含む。
【００６９】
任意選択で、UEページングアイデンティティは、UEのアクセス層アイデンティティであり、UEのアクセス層アイデンティティは、再開識別子、セル無線ネットワーク一時識別子C-RNTI、E-UTRANセルグローバル識別子ECGIとC-RNTIとの組み合わせ、又は物理セル識別子PCIとC-RNTIとの組み合わせを含む。
【００７０】
任意選択で、受信機は、UEがRRC接続非アクティブ状態に入った後に、コアネットワークにより送出されたUEの下りリンクデータを受信するように更に構成され、送信機は、UEの下りリンクデータに基づいて、ページングメッセージをUEに送出することを決定するように更に構成され、それにより、UEは、RRC接続非アクティブ状態からRRC接続状態に入る。
【００７１】
任意選択で、プロセッサは、
UEがRRC接続状態を出る理由を決定し、
UEがRRC接続状態を出る理由が、UEが或る期間内にデータ送信を実行しないことであるとき、RRC接続非アクティブ状態指示情報に基づいて、UEがRRC接続非アクティブ状態又はRRCアイドル状態に入ると決定し、或いは
UEがRRC接続状態を出る理由が、以下の理由、すなわち、アクセスネットワークデバイスがコアネットワークにより送出されたUEコンテキスト解放コマンドを受信したこと、UEのS1インタフェース接続が解放されたこと、及びアクセスネットワークデバイスがUEが異常であることを識別したことのうちいずれか１つであるとき、UEがRRCアイドル状態に入ると決定する
ように更に構成される。
【００７２】
この出願の第８の態様は、UEを提供し、UEは、プロセッサと、送信機と、受信機と、メモリとを含む。送信機、受信機及びメモリは、バスを使用することによりプロセッサに接続される。送信機は、データを他のデバイスに送出するように構成される。受信機は、他のデバイスにより送出されたデータを受信するように構成される。メモリは、コンピュータプログラムを記憶するように構成される。プロセッサは、メモリに記憶されたプログラムを実行するように構成され、それにより、UEは、この出願の第２の態様におけるいずれかの方法を実行する。具体的には、送信機は、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【００７３】
送信機は、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【００７４】
受信機は、UEがRRC接続状態を出るとき、RRC接続非アクティブ状態に入るコマンドであり、アクセスネットワークデバイスにより送出されたコマンドを受信するように構成され、RRC接続非アクティブ状態に入るコマンドは、アクセスネットワークデバイスによりUEのRRC接続非アクティブ状態指示情報に基づいて送出される。
【００７５】
プロセッサは、RRC接続非アクティブ状態に入るコマンドに従って、RRC接続非アクティブ状態に入るようにUEを制御するように構成される。
【００７６】
メモリは、UEのコンテキスト情報を記憶するように構成される。
【００７７】
任意選択で、UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含み、デバイス粒度のRRC接続非アクティブ状態指示情報は、UEの全てのベアラ、ネットワークスライス及びサービスフローがRRC接続非アクティブ状態に入るのに適しているか否かを示すために使用される。
【００７８】
さらに、UEがRRC接続非アクティブ状態に入った後に、プロセッサは、UEのページング機会を決定するように更に構成される。受信機は、決定されたページング機会に、アクセスネットワークデバイスにより送出されたページングメッセージを受信するように更に構成され、ページングメッセージは、UEページングアイデンティティを含み、UEページングアイデンティティは、UEのアクセス層アイデンティティである。プロセッサは、ページングメッセージに基づいて、RRC接続状態に入るプロセスをアクセスネットワークデバイスに対して開始するように更に構成される。
【００７９】
この出願の第９の態様は、コアネットワークデバイスを提供し、コアネットワークデバイスは、プロセッサと、送信機と、メモリとを含む。送信機及びメモリは、バスを使用することによりプロセッサに接続される。送信機は、データを他のデバイスに送出するように構成される。メモリは、コンピュータプログラムを記憶するように構成される。プロセッサは、メモリに記憶されたプログラムを実行するように構成され、それにより、コアネットワークデバイスは、この出願の第３の態様におけるいずれかの方法を実行するように構成される。具体的には、
プロセッサは、UEについての情報に基づいて、UEが無線リソース制御RRC接続非アクティブ状態に入るのに適しているか否かを決定するように構成され、UEのRRC状態は、RRC接続状態と、RRC接続非アクティブ状態と、RRCアイドル状態とを少なくとも含む。
【００８０】
送信機は、UEがRRC接続非アクティブ状態に入るのに適していると決定されたとき、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用される。
【００８１】
任意選択で、UEについての情報は、以下の情報、すなわち、UEのタイプ、UEの加入情報、UEのために追加されるベアラについての情報、UEのために追加されるネットワークスライスについての情報、及びUEのために追加されるサービスフローについての情報のうち少なくとも１つを含む。
【００８２】
UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含み、デバイス粒度のRRC接続非アクティブ状態指示情報は、UEの全てのベアラ、ネットワークスライス及びサービスフローがRRC接続非アクティブ状態に入るのに適しているか否かを示すために使用される。
【００８３】
この出願において提供されるRRC状態制御のための方法及び装置によれば、アクセスネットワークデバイスは、UEのRRC接続非アクティブ状態指示情報を取得する。UEがRRC接続状態を出るとき、アクセスネットワークデバイスは、RRC接続非アクティブ状態指示情報に基づいて、UEがRRC接続非アクティブ状態又はRRCアイドル状態に入ると決定する。UEがRRC接続非アクティブ状態に入ると決定したとき、アクセスネットワークデバイスは、UEのコンテキスト情報を記憶し、RRC接続非アクティブ状態に入るコマンドをUEに送出し、それにより、UEは、RRC接続非アクティブ状態に入る。当該方法によれば、アクセスネットワークデバイスは、UEの状態に基づいて、適切なRRC状態に入るようにUEを制御でき、それにより、シグナリングオーバーヘッドを低減し、システム性能を改善する。
【図面の簡単な説明】
【００８４】
【図１】次世代ネットワークのシステムアーキテクチャの図である。
【図２】実施例１によるRRC状態制御のための方法のフローチャートである。
【図３】実施例２によるRRC状態制御のための方法のフローチャートである。
【図４】実施例３によるRRC状態制御のための方法のフローチャートである。
【図５】実施例４によるRRC状態制御のための方法のフローチャートである。
【図６】実施例５によるRRC状態制御のための方法のフローチャートである。
【図７】実施例６によるRRC状態制御のための方法のフローチャートである。
【図８】実施例７によるアクセスネットワークデバイスの概略構成図である。
【図９】実施例８によるアクセスネットワークデバイスの概略構成図である。
【図１０】実施例９によるUEの概略構成図である。
【図１１】実施例１０によるコアネットワークデバイスの概略構成図である。
【図１２】実施例１１によるアクセスネットワークデバイスの概略構成図である。
【図１３】実施例１２によるUEの概略構成図である。
【図１４】実施例１３によるコアネットワークデバイスの概略構成図である。
【発明を実施するための形態】
【００８５】
この出願における方法は、次世代ネットワークシステムに適用される。図１は、次世代ネットワークのシステムアーキテクチャの図である。図１に示すように、次世代ネットワークは、コアネットワークと、アクセスネットワークデバイスと、UEとを含む。１つ以上のアクセスネットワークデバイス及びUEが存在してもよい。次世代ネットワークにおけるアクセスネットワークデバイスは、主に、無線インタフェースの無線リソース管理、接続制御、セル管理、スケジューリング、サービス品質（Quality  of  Service、略称QoS）等の役目をする。代替として、次世代ネットワークにおけるアクセスネットワークデバイスは、基地局、eNB、new  RAT等と呼ばれてもよい。特に定めのない限り、以下の実施例におけるアクセスネットワークデバイスは、次世代ネットワークにおけるアクセスネットワークデバイスである。新たなRRC状態、すなわち、RRC接続非アクティブ状態（Connected  Inactive又はInactive  Connected）は、次世代ネットワークにおけるUEのために導入されている。明らかに、UEは、依然としてLTEシステムにおけるRRC接続状態及びRRCアイドル状態を有する。RRCアイドル状態とRRC接続非アクティブ状態との類似点は、UEがRRCアイドル状態又はRRC接続非アクティブ状態のいずれにおいてもデータ送信を実行できず、UEがデータを送信する必要がある場合、UEがRRCアイドル状態又はRRC接続非アクティブ状態からRRC接続状態に切り替える必要がある点である。RRCアイドル状態とRRC接続非アクティブ状態との相違点は、RRC接続非アクティブ状態からRRC接続状態に入るためにUEにより費やされる時間が、RRCアイドル状態からRRC接続状態に入るためにUEにより費やされる時間より少なく、UEがRRC接続非アクティブ状態からRRC接続状態に入るときに使用されるより少量の相互作用シグナリングが存在し、それにより、UEがRRC接続非アクティブ状態からRRC接続状態に迅速に入ることができ、それにより、シグナリングオーバーヘッドを低減する点である。
【００８６】
図２は、実施例１によるRRC状態制御のための方法のフローチャートである。図２に示すように、この実施例における方法は以下のステップを含んでもよい。
【００８７】
ステップ101.アクセスネットワークデバイスは、UEのRRC接続非アクティブ状態指示情報を取得する。
【００８８】
RRC接続非アクティブ状態指示情報は、UEがRRC接続非アクティブ状態に入るのに適しているか否かを示すために使用される。次世代ネットワークにおいて、UEのRRC状態は、RRC接続状態と、RRC接続非アクティブ状態と、RRCアイドル状態とを少なくとも含む。UEのRRC接続非アクティブ状態指示情報は、コアネットワーク又はUEによりアクセスネットワークデバイスに送出されてもよい。指示情報は、1ビットの指示値を使用することにより表されてもよく、指示値の値はtrue又はfalseである。指示値の値がtrueであるとき、これは、UEがRRC接続非アクティブ状態に入るのに適していることを示す。指示値の値がfalseであるとき、これは、UEがRRC接続非アクティブ状態に入るのに適していないことを示す。任意選択で、指示情報は、1ビットの識別子情報でもよい。ネットワーク側又はUEは、UEがRRC接続非アクティブ状態に入るのに適しているときにのみ、識別子情報をアクセスネットワークデバイスに送出し、ネットワーク側又はUEは、UEがRRC接続非アクティブ状態に入るのに適していないとき、識別子情報をアクセスネットワークデバイスに送出しない。この場合、アクセスネットワークデバイスが識別子情報を受信したという条件で、アクセスネットワークデバイスは、UEがRRC接続非アクティブ状態に入るのに適していると決定できる。
【００８９】
UEのRRC接続非アクティブ状態指示情報は、UEにより設定されたベアラ（bearer）、ネットワークスライス（Network  Slicing）及びサービスフローのうち少なくとも１つのRRC接続非アクティブ状態指示情報のみを含んでもよく、或いはUEのデバイス粒度のRRC接続非アクティブ状態指示情報のみを含んでもよく、或いはUEにより設定されたベアラ、ネットワークスライス及びサービスフローのうち少なくとも１つのRRC接続非アクティブ状態指示情報と、UEのデバイス粒度のRRC接続非アクティブ状態指示情報とを含んでもよい。デバイス粒度のRRC接続非アクティブ状態指示情報は、UEの全てのベアラ、ネットワークスライス及びサービスフローがRRC接続非アクティブ状態に入るのに適しているか否かを示すために使用される。
【００９０】
この実施例では、UEにより設定されたベアラは、データ送信のためにUEにより現在使用され得るベアラであり、UEにより設定されたネットワークスライスは、ネットワーク側によりUEに割り当てられ且つデータ送信に使用されるネットワークスライスであり、UEにより設定されたサービスフローは、UEにより現在送信されているサービスフローである。ベアラは、コアネットワークからUEへの論理パスであり、下り方向のマッピングの観点から、基地局とコアネットワークとの間のS1  bearerと、基地局と端末との間のradio  bearerとを含む。物理リソースにマッピングされるとき、S1  bearerは、GPRSトンネリングプロトコル（GPRS  Tunneling  Protocol、略称GTP）チャネルである。radio  bearerは、パケットデータコンバージェンスプロトコル（Packet  Data  Convergence  Protocol、略称PDCP）レイヤ、無線リンク制御（Radio  Link  Control、略称RLC）レイヤ、媒体アクセス制御（Medium  Access  Control、略称MAC）レイヤ及び物理レイヤにおいて、RBリソース上の一連のリソースを含む。ベアラ内容の観点から、ベアラは、シグナリング無線ベアラ（Signaling  Radio  Bearer、略称SRB）及びデータベアラ（Data  Radio  Bearer、略称DRB）に分類される。SRBは、RRCシグナリングを搬送するために使用され、DRBは、ユーザプレーンデータを搬送するために使用される。ネットワークスライスは、１つの物理ネットワークが複数の仮想エンドツーエンドネットワークに分割され、各仮想ネットワーク（ネットワークにおけるデバイス、アクセス、送信及びコアネットワークを含む）が論理的に独立しており、１つの仮想ネットワークが故障したとき、他の仮想ネットワークが影響を受けないことを意味してもよい。サービスフローは、ネットワークスライス又はベアラ上で送信されるデータフローであり、例えば、QQサービスのデータフロー、ブラウザのデータフロー又は他のアプリケーションのデータフローである。
【００９１】
UEは、ベアラのみ、又はネットワークスライスのみ、又はサービスフローのみを設定してもよい点に留意すべきである。この場合、UEのRRC接続非アクティブ状態指示情報は、UEにより設定されたベアラのRRC接続非アクティブ状態指示情報のみ、又はUEにより設定されたネットワークスライスのRRC接続非アクティブ状態指示情報のみ、又はUEにより設定されたサービスフローのRRC接続非アクティブ状態指示情報のみを含んでもよい。ベアラのRRC接続非アクティブ状態指示情報は、対応するベアラがRRC接続非アクティブ状態に入るのに適しているか否かを示すために使用され、ネットワークスライスのRRC接続非アクティブ状態指示情報は、対応するネットワークスライスがRRC接続非アクティブ状態に入るのに適しているか否かを示すために使用され、サービスフローのRRC接続非アクティブ状態指示情報は、対応するネットワークスライスがRRC接続非アクティブ状態に入るのに適しているか否かを示すために使用される。明らかに、UEは、ベアラ及びネットワークスライスのみ、又はベアラ及びサービスフローのみ、又はネットワークスライス及びサービスフローのみを設定してもよく、或いはベアラ、ネットワークスライス及びサービスフローを設定してもよい。UEにより設定された１つ以上のベアラ、ネットワークスライス又はサービスフローが存在してもよい。
【００９２】
RRC接続非アクティブ状態指示情報は、ベアラレベル、ネットワークスライスレベル又はサービスフローレベルでもよい点に留意すべきである。ベアラが例として使用される（ネットワークスライス及びサービスフローの場合も同様である）。例えば、UEは３つのベアラを設定する。アクセスネットワークデバイスは、ベアラ1の指示情報が、UEがRRC接続非アクティブ状態に入るのに適していることを示し（例えば、ベアラ1はユーザのウェブページのブラウジングサービスを搬送し、不連続的な送信の特性を有する）、ベアラ2の指示情報が、UEがRRC接続非アクティブ状態に入るのに適していることを示し、ベアラ3の指示情報が、UEがRRC接続非アクティブ状態に入るのに適していないことを示すことを習得する。
【００９３】
ステップ102.UEがRRC接続状態を出るとき、アクセスネットワークデバイスは、UEのRRC接続非アクティブ状態指示情報に基づいて、UEがRRC接続非アクティブ状態又はRRCアイドル状態に入ると決定する。
【００９４】
UEのRRC接続非アクティブ状態指示情報が、UEにより設定されたベアラ、ネットワークスライス及びサービスフローのうち少なくとも１つのRRC接続非アクティブ状態指示情報であるとき、アクセスネットワークデバイスは、UEにより設定されたベアラ、ネットワークスライス及びサービスフローのうち少なくとも１つのRRC接続非アクティブ状態指示情報に基づいて、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定する。UEにより設定されたベアラ、ネットワークスライス及びサービスフローの中の少なくとも１つのベアラ、ネットワークスライス又はサービスフローがRRC接続非アクティブ状態に適しているとき、アクセスネットワークデバイスは、UEがRRC接続非アクティブ状態に入ると決定する。UEにより設定されたベアラ、ネットワークスライス及びサービスフローのうちどれもRRC接続非アクティブ状態に適していないとき、アクセスネットワークデバイスは、UEがRRCアイドル状態に入ると決定する。
【００９５】
UEのRRC接続非アクティブ状態指示情報が、UEのデバイス粒度のRRC接続非アクティブ状態指示情報であるとき、アクセスネットワークデバイスは、デバイス粒度のRRC接続非アクティブ状態指示情報に基づいて、UEがRRC接続非アクティブ状態に適しているか否かを決定する。デバイス粒度のRRC接続非アクティブ状態指示情報が、UEがRRC接続非アクティブ状態に適していることを示すとき、アクセスネットワークデバイスは、UEがRRC接続非アクティブ状態に入ると決定する。デバイス粒度のRRC接続非アクティブ状態指示情報が、UEがRRC接続非アクティブ状態に適していないことを示すとき、アクセスネットワークデバイスは、UEがRRCアイドル状態に入ると決定する。
【００９６】
UEのRRC接続非アクティブ状態指示情報が、UEにより設定されたベアラ、ネットワークスライス及びサービスフローのうち少なくとも１つのRRC接続非アクティブ状態指示情報、及びUEのデバイス粒度のRRC接続非アクティブ状態指示情報であるとき、デバイス粒度のRRC接続非アクティブ状態指示情報の優先度は、ベアラ、ネットワークスライス及びサービスフローのそれぞれのRRC接続非アクティブ状態指示情報のものより高い。したがって、アクセスネットワークデバイスは、まず、デバイス粒度のRRC接続非アクティブ状態指示情報に基づいて、UEがRRC接続非アクティブ状態に適しているか否かを決定する。デバイス粒度のRRC接続非アクティブ状態指示情報が、UEがRRC接続非アクティブ状態に適していることを示すとき、アクセスネットワークデバイスは、UEがRRC接続非アクティブ状態に入ると決定し、もはや、ベアラ、ネットワークスライス及びサービスフローのRRC接続非アクティブ状態指示情報が、UEがRRC接続非アクティブ状態に入るのに適しているか否かを決定する必要はない。デバイス粒度のRRC接続非アクティブ状態指示情報が、UEがRRC接続非アクティブ状態に適していないことを示すとき、アクセスネットワークデバイスは、UEにより設定されたベアラ、ネットワークスライス及びサービスフローのうち少なくとも１つのRRC接続非アクティブ状態指示情報に基づいて、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定する。UEにより設定されたベアラ又はネットワークスライスの中の少なくとも１つのベアラ、ネットワークスライス又はサービスフローがRRC接続非アクティブ状態に適しているとき、アクセスネットワークデバイスは、UEがRRC接続非アクティブ状態に入ると決定する。UEにより設定されたベアラ、ネットワークスライス及びサービスフローのうちどれもRRC接続非アクティブ状態に適していないとき、アクセスネットワークデバイスは、UEがRRCアイドル状態に入ると決定する。
【００９７】
必ずしも、前述のルールに従って、UEがRRC接続状態を出る毎に、UEがRRC接続非アクティブ状態に入るか否かが決定されるわけではない点に留意すべきである。例えば、アクセスネットワークデバイスは、UEが或る期間内にデータ送信を実行しないと決定し、したがって、UEがRRC接続状態を出ると決定したとき、アクセスネットワークデバイスは、前述のルールに従って決定を実行する。アクセスネットワークデバイスが、UEが異常であることを識別したとき、或いはアクセスネットワークデバイスがコアネットワークにより送出されたUEコンテキスト解放コマンドを受信したとき、或いはUEのS1インタフェースが解放されたとき、或いは他の理由で、したがって、アクセスネットワークデバイスが、UEがRRC接続状態を出ると決定したとき、アクセスネットワークデバイスは、RRCアイドル状態に入るようにUEに命令する。アクセスネットワークデバイスは、LTEネットワークにおける無活動タイマ（inactivity  timer）、又は無活動タイマのものと同様の機能を有する他のカウンタであり、次世代ネットワーク若しくはLTEネットワークにおける他のカウンタに基づいて、UEが当該期間内にデータ送信を実行しないと決定してもよい。LTEネットワークでは、アクセスネットワークデバイスが、UEがデータ送信を実行しないと決定したとき、アクセスネットワークデバイスは、無活動タイマを開始し、UEが無活動タイマの計時中にデータ送信を実行しない場合、無活動タイマが終了したとき、アクセスネットワークデバイスは、UEがRRCアイドル状態に入ると決定する。UEが無活動タイマの計時中にデータ送信を実行することが検出されると、アクセスネットワークデバイスは、無活動タイマをリセットする。
【００９８】
ステップ103.アクセスネットワークデバイスが、UEがRRC接続非アクティブ状態に入ると決定したとき、アクセスネットワークデバイスは、UEのコンテキスト情報を記憶し、RRC接続非アクティブ状態に入るコマンドをUEに送出する。
【００９９】
RRC接続非アクティブ状態に入るコマンドは、新たなRRCメッセージ、例えば、RRC接続非アクティブ状態に入るようにUEに命令するために使用されるRRC  inactive  commandでもよく、或いはRRC  connection  releaseメッセージでもよく、RRC  connection  releaseメッセージは、RRC接続非アクティブ状態に入るようにUEに指示するために使用される指示情報を搬送する。この実施例では、RRC接続非アクティブ状態に入るようにUEに命令した後に、アクセスネットワークデバイスは、UEのコンテキスト情報を更に記憶する。UEがRRC接続非アクティブ状態に入るコマンドであり、アクセスネットワークデバイスにより送出されたコマンドを受信し、RRC接続非アクティブ状態に入った後に、UEもまた、UEのコンテキスト情報を記憶する。アクセスネットワークデバイス及びUEは、UEがRRC接続非アクティブ状態に入った後に、UEのコンテキスト情報を記憶し、それにより、UEは、その後、RRC接続非アクティブ状態からRRC接続状態に迅速に入ることができる。UEのコンテキスト情報は、UEの設定、セキュリティ情報等を含む。
【０１００】
この実施例における方法では、アクセスネットワークデバイスが、UEがRRC接続非アクティブ状態に入ることが可能であると決定したとき、アクセスネットワークデバイスは、UEが当該状態に入ることをコアネットワークに通知しない点に留意すべきである。具体的には、UEのRRC接続非アクティブ状態は、コアネットワークにとってトランスペアレントであり、コアネットワークは、UEがRRC接続非アクティブ状態に入ることを認識せず、コアネットワーク側は、UEのRRC接続状態とRRC接続非アクティブ状態との間を区別せず、言い換えると、コアネットワーク側は、初期設定で、UEが依然としてRRC接続状態にあると考える。
【０１０１】
この実施例では、アクセスネットワークデバイスは、UEのRRC接続非アクティブ状態指示情報を取得する。UEがRRC接続状態を出るとき、アクセスネットワークデバイスは、RRC接続非アクティブ状態指示情報に基づいて、UEがRRC接続非アクティブ状態又はRRCアイドル状態に入ると決定する。UEがRRC接続非アクティブ状態に入ると決定したとき、アクセスネットワークデバイスは、UEのコンテキスト情報を記憶し、RRC接続非アクティブ状態に入るコマンドをUEに送出し、それにより、UEは、RRC接続非アクティブ状態に入る。当該方法によれば、アクセスネットワークデバイスは、UEの状態に基づいて、適切なRRC状態に入るようにUEを制御でき、それにより、シグナリングオーバーヘッドを低減し、システム性能を改善する。
【０１０２】
実施例１に基づいて、実施例２は、RRC状態制御のための方法を提供する。この実施例では、例えば、UEのRRC接続非アクティブ状態指示情報は、UEにより設定されたベアラ、ネットワークスライス及びサービスフローのうち少なくとも１つのRRC接続非アクティブ状態指示情報であり、アクセスネットワークデバイスは、コアネットワークから、UEのベアラ、ネットワークスライス及びサービスフローのうち少なくとも１つのRRC接続非アクティブ状態指示情報を取得する。図３は、実施例２によるRRC状態制御のための方法のフローチャートである。図３に示すように、この実施例において提供される方法は以下のステップを含んでもよい。
【０１０３】
ステップ201.コアネットワークは、ベアラ追加要求メッセージ、ネットワークスライス追加要求メッセージ又はサービスフロー追加要求メッセージをアクセスネットワークデバイスに送出し、ベアラ追加要求メッセージは、追加されるベアラのRRC接続非アクティブ状態指示情報を含み、ネットワークスライス追加要求メッセージは、追加されるネットワークスライスのRRC接続非アクティブ状態指示情報を含み、サービスフロー追加要求メッセージは、追加されるサービスフローのRRC接続非アクティブ状態指示情報を含む。
【０１０４】
この実施例では、コアネットワークは、UEのために追加されるベアラ、ネットワークスライス又はサービスフローについての情報に基づいて、追加されるベアラ、ネットワークスライス又はサービスフローがRRC接続非アクティブ状態に入るのに適しているか否かを決定する。例えば、データ送信が不連続的に実行されるベアラについて、コアネットワークは、RRC接続非アクティブ状態に入るのに適していると決定し、或いはそうでない場合、コアネットワークは、RRC接続非アクティブ状態に入るのに適していないと決定する。代替として、コアネットワークは、ベアラ、ネットワークスライス又はサービスフローのQoS要件に基づいて、RRC接続非アクティブ状態に入るのに適しているか否かを決定する。例えば、高いQoS要件を有するベアラ、ネットワークスライス又はサービスフローについて、コアネットワークは、RRC接続非アクティブ状態に入るのに適していると決定し、低いQoS要件を有するベアラ、ネットワークスライス又はサービスフローについて、コアネットワークは、RRC接続非アクティブ状態に入るのに適していないと決定する。ここで、この説明は単なる例であり、代替として、決定は、ベアラ、ネットワークスライス又はサービスフローの他の特性に基づいて実行されてもよい。
【０１０５】
コアネットワークがUEのために１つのベアラ、ネットワークスライス又はサービスフローを追加する毎に、コアネットワークは、RRC接続非アクティブ状態指示情報を対応する追加要求メッセージに追加する。指示情報は、例えば、true及びfalseを使用することにより表されてもよい。例えば、ベアラがRRC接続非アクティブ状態に入るのに適しているとき、ベアラ追加要求メッセージ内のRRC接続非アクティブ状態指示情報に対応する値はtrueであり、或いはベアラがRRC接続非アクティブ状態に入るのに適していないとき、ベアラ追加要求メッセージ内のRRC接続非アクティブ状態指示情報に対応する値はfalseである。
【０１０６】
ステップ202.アクセスネットワークデバイスは、UEのベアラ、ネットワークスライス及びサービスフローの受信したRRC接続非アクティブ状態指示情報を記憶する。
【０１０７】
コアネットワークにより送出された指示情報を受信した後に、アクセスネットワークデバイスは、指示情報を記憶する。
【０１０８】
ステップ203.アクセスネットワークデバイスは、ベアラ追加応答メッセージ、ネットワークスライス追加応答メッセージ又はサービス追加応答メッセージをコアネットワークに送出する。
【０１０９】
アクセスネットワークデバイスがコアネットワークにより送出されたベアラ追加要求メッセージを受信した場合、アクセスネットワークデバイスは、ベアラ追加応答メッセージをコアネットワークに送出する。アクセスネットワークデバイスがコアネットワークにより送出されたネットワークスライス追加要求メッセージを受信した場合、アクセスネットワークデバイスは、ネットワークスライス追加応答メッセージをコアネットワークに送出する。アクセスネットワークデバイスがコアネットワークにより送出されたサービスフロー追加要求メッセージを受信した場合、アクセスネットワークデバイスは、サービスフロー追加応答メッセージをコアネットワークに送出する。
【０１１０】
ステップ204.基地局は、UEがRRC接続状態を出ると決定し、UEのベアラ、ネットワークスライス及びサービスフローの記憶されたRRC接続非アクティブ状態指示情報に基づいて、UEがRRC接続非アクティブ状態に入るのに適しているか否かを決定する。
【０１１１】
アクセスネットワークデバイスが、UEがRRC接続非アクティブ状態に入るのに適していると決定したとき、ステップ205が実行される。アクセスネットワークデバイスが、UEがRRC接続非アクティブ状態に入るのに適していないと決定したとき、ステップ206が実行される。
【０１１２】
アクセスネットワークデバイスが、UEがRRC接続非アクティブ状態に入るのに適しているか否かを決定するプロセスについて、実施例１の説明を参照する。
【０１１３】
ステップ205.アクセスネットワークデバイスは、RRC接続非アクティブ状態に入るコマンドをUEに送出する。
【０１１４】
RRC接続非アクティブ状態に入るコマンドを送出する前に、アクセスネットワークデバイスは、UEのコンテキスト情報を更に記憶する。
【０１１５】
ステップ206.アクセスネットワークデバイスは、RRCアイドル状態に入るコマンドをUEに送出する。
【０１１６】
この実施例では、アクセスネットワークデバイスは、コアネットワークにより送出されたRRC接続非アクティブ状態指示情報であり、UEのベアラ、ネットワークスライス及びサービスフローのうち少なくとも１つのものであるRRC接続非アクティブ状態指示情報を受信して記憶し、UEがRRC接続状態を出るとき、アクセスネットワークデバイスは、UEのベアラ、ネットワークスライス及びサービスフローのうち少なくとも１つのRRC接続非アクティブ状態指示情報に基づいて、UEがRRC接続非アクティブ状態に入るかRRCアイドル状態に入るかを決定する。当該方法によれば、UEサービスの特性に基づいて、UEが適切なRRC状態に入るように制御でき、それにより、シグナリングオーバーヘッドを低減し、システム性能を改善する。
【０１１７】
実施例１に基づいて、実施例３は、RRC状態制御のための方法を提供する。この実施例と実施例２との相違点は、この実施例では、アクセスネットワークデバイスが、UEから、UEのベアラ、ネットワークスライス及びサービスフローのうち少なくとも１つのRRC接続非アクティブ状態指示情報を取得する点である。図４は、実施例３によるRRC状態制御のための方法のフローチャートである。図４に示すように、この実施例において提供される方法は以下のステップを含んでもよい。
【０１１８】
ステップ301.コアネットワークは、ベアラ追加要求メッセージ、ネットワークスライス追加要求メッセージ又はサービスフロー追加要求メッセージをアクセスネットワークデバイスに送出する。
【０１１９】
ステップ302.アクセスネットワークデバイスは、ベアラ追加要求メッセージ、ネットワークスライス追加要求メッセージ又はサービスフロー追加要求メッセージをUEに送出する。
【０１２０】
ベアラ追加要求メッセージは、追加されるベアラについての情報を含み、ネットワークスライス追加要求メッセージは、追加されるネットワークスライスについての情報を含み、サービスフロー追加要求メッセージは、追加されるサービスフローについての情報を含む。この実施例では、UEは、ベアラ、ネットワークスライス又はサービスフローの特性に基づいて、対応するベアラ、ネットワークスライス又はサービスフローがRRC接続非アクティブ状態に入るのに適しているか否かを決定する。具体的には、UEは、追加されるベアラについての情報に基づいて、追加されるベアラがRRC接続非アクティブ状態に入るのに適しているか否かを決定し、同様に、追加されるネットワークスライス又はサービスフローについての情報に基づいて、対応するネットワークスライス又はサービスフローがRRC接続非アクティブ状態に入るのに適しているか否かを決定する。この実施例では、UEは、実施例２におけるコアネットワークのものと同じ方法を使用することにより、ベアラ、ネットワークスライス又はサービスフローがRRC接続非アクティブ状態に入るのに適しているか否かを決定してもよい。明らかに、UEは、コアネットワークのものと異なる方法を使用してもよい。この実施例は、当該方法を限定せず、UE及びコアネットワークにより使用される具体的な方式を限定しない。ベアラ、ネットワークスライス又はサービスフローがRRC接続非アクティブ状態に入るのに適しているか否かを決定した後に、
UEは、ベアラ、ネットワークスライス又はサービスフローのRRC接続非アクティブ状態指示情報をアクセスネットワークデバイスに送出し、UEは、指示情報をベアラ追加完了メッセージ、ネットワークスライス追加完了メッセージ又はサービスフロー追加完了メッセージに追加し、追加完了メッセージをアクセスネットワークデバイスに送出してもよい。
【０１２１】
ステップ303.UEは、ベアラ追加完了メッセージ、ネットワークスライス追加完了メッセージ又はサービスフロー追加完了メッセージをアクセスネットワークデバイスに送出し、ベアラ追加完了メッセージは、追加されるベアラのRRC接続非アクティブ状態指示情報を含み、ネットワークスライス追加完了メッセージは、追加されるネットワークスライスのRRC接続非アクティブ状態指示情報を含み、サービス設定完了メッセージは、追加されるサービスフローのRRC接続非アクティブ状態指示情報を含む。
【０１２２】
ステップ304.アクセスネットワークデバイスは、UEのベアラ、ネットワークスライス及びサービスフローの受信したRRC接続非アクティブ状態指示情報を記憶する。
【０１２３】
ステップ305.アクセスネットワークデバイスは、ベアラ追加応答メッセージ、ネットワークスライス追加応答メッセージ又はサービス追加応答メッセージをコアネットワークに送出する。
【０１２４】
ステップ306.基地局は、UEがRRC接続状態を出ると決定し、UEのベアラ、ネットワークスライス及びサービスフローの記憶されたRRC接続非アクティブ状態指示情報に基づいて、UEがRRC接続非アクティブ状態に入るのに適しているか否かを決定する。
【０１２５】
アクセスネットワークデバイスが、UEがRRC接続非アクティブ状態に入るのに適していると決定したとき、ステップ307が実行される。アクセスネットワークデバイスが、UEがRRC接続非アクティブ状態に入るのに適していないと決定したとき、ステップ308が実行される。
【０１２６】
アクセスネットワークデバイスが、UEがRRC接続非アクティブ状態に入るのに適しているか否かを決定するプロセスについて、実施例１の説明を参照する。
【０１２７】
ステップ307.アクセスネットワークデバイスは、RRC接続非アクティブ状態に入るコマンドをUEに送出する。
【０１２８】
RRC接続非アクティブ状態に入るコマンドを送出する前に、アクセスネットワークデバイスは、UEのコンテキスト情報を更に記憶する。
【０１２９】
ステップ308.アクセスネットワークデバイスは、RRCアイドル状態に入るコマンドをUEに送出する。
【０１３０】
この実施例では、アクセスネットワークデバイスは、UEにより送出されたRRC接続非アクティブ状態指示情報であり、UEのベアラ、ネットワークスライス及びサービスフローのうち少なくとも１つのものであるRRC接続非アクティブ状態指示情報を受信して記憶し、UEがRRC接続状態を出るとき、アクセスネットワークデバイスは、UEのベアラ、ネットワークスライス及びサービスフローのうち少なくとも１つのRRC接続非アクティブ状態指示情報に基づいて、UEがRRC接続非アクティブ状態に入るかRRCアイドル状態に入るかを決定する。当該方法によれば、UEサービスの特性に基づいて、UEが適切なRRC状態に入るように制御でき、それにより、シグナリングオーバーヘッドを低減し、システム性能を改善する。
【０１３１】
実施例２及び実施例３における方法では、コアネットワーク及びUEは、UEのベアラ、ネットワークスライス又はサービスフローの特性である要因に基づいて、UEがRRC接続非アクティブ状態に入るのに適しているか否かを決定する。この出願の他の実施例では、代替として、コアネットワーク及びUEは、UEのユーザ加入情報及びUEのタイプ（例えば、UEが固定位置にある端末であるか否か）のような要因に基づいて、UEがRRC接続非アクティブに入るのに適しているか否かを決定してもよい。コアネットワーク又はUEが、UEのユーザ加入情報及びUEのタイプのような要因に基づいて、UEがRRC接続非アクティブ状態に入るのに適していると決定したとき、UEの全てのベアラ、ネットワークスライス又はサービスフローは、RRC接続非アクティブ状態に入るのに適している。同様に、コアネットワーク又はUEが、UEのユーザ加入情報及びUEのタイプのような要因に基づいて、UEがRRC接続非アクティブ状態に入るのに適していないと決定したとき、UEの全てのベアラ、ネットワークスライス又はサービスフローは、RRC接続非アクティブ状態に入るのに適していない。
【０１３２】
コアネットワークが、UEのユーザ加入情報、タイプ等に基づいて、UEがRRC接続非アクティブ状態に入るのに適しているか否かを決定した場合、実現方式では、UEのために各ベアラ、ネットワークスライス又はサービスフローを追加するとき、コアネットワークは、追加されるベアラ、ネットワークスライス又はサービスフローのRRC接続非アクティブ状態指示情報を、ベアラ追加要求メッセージ、ネットワークスライス追加要求メッセージ又はサービスフロー追加要求メッセージに追加し、追加要求メッセージをアクセスネットワークデバイスに送出してもよい。
【０１３３】
他の実現方式では、コアネットワークは、デバイス粒度の新たなRRC接続非アクティブ状態指示情報を定義する。デバイス粒度のRRC接続非アクティブ状態指示情報は、UEの全てのベアラ、ネットワークスライス及びサービスフローがRRC接続非アクティブ状態に入るのに適しているか否かを示すために使用される。このように、コアネットワークは、UEのデバイス粒度のRRC接続非アクティブ状態指示情報をアクセスネットワークデバイスに送出しさえすればよい。アクセスネットワークデバイスは、デバイス粒度のものであるRRC接続非アクティブ状態指示情報であり、コアネットワークにより送出されたRRC接続非アクティブ状態指示情報を受信し、デバイス粒度のRRC接続非アクティブ状態指示情報を記憶し、その後、デバイス粒度のRRC接続非アクティブ状態指示情報に基づいて、UEがRRC接続非アクティブ状態に入るのに適しているか否かを決定する。コアネットワークは、デバイス粒度のRRC接続非アクティブ状態指示情報を初期コンテキスト設定要求メッセージに追加し、初期コンテキスト設定要求メッセージをアクセスネットワークデバイスに送出してもよい。アクセスネットワークデバイスは、コアネットワークにより送出された初期コンテキスト設定要求メッセージを受信し、初期コンテキスト設定要求メッセージからデバイス粒度のRRC接続非アクティブ状態指示情報を取得する。明らかに、コアネットワークは、他のRRCメッセージを使用することにより、デバイス粒度のRRC接続非アクティブ状態指示情報をアクセスネットワークデバイスに更に送出してもよい。
【０１３４】
UEのユーザ加入情報、タイプ等に基づいて、UEがRRC接続非アクティブ状態に入るのに適しているか否かが決定された場合、実現方式では、コアネットワークがUEのために各ベアラ、ネットワークスライス又はサービスフローを追加するとき、UEは、追加されるベアラ、ネットワークスライス又はサービスフローのRRC接続非アクティブ状態指示情報を、ベアラ追加完了メッセージ、ネットワークスライス追加完了メッセージ又はサービスフロー追加完了メッセージに追加し、追加完了メッセージをアクセスネットワークデバイスに送出してもよい。他の実現方式では、UEは、UEのデバイス粒度のRRC接続非アクティブ状態指示情報をアクセスネットワークデバイスに送出しさえすればよい。アクセスネットワークデバイスは、デバイス粒度のものであるRRC接続非アクティブ状態指示情報であり、UEにより送出されたRRC接続非アクティブ状態指示情報を受信し、デバイス粒度のRRC接続非アクティブ状態指示情報を記憶し、その後、デバイス粒度のRRC接続非アクティブ状態指示情報に基づいて、UEがRRC接続非アクティブ状態に入るのに適しているか否かを決定する。UEは、デバイス粒度のRRC接続非アクティブ状態指示情報をRRC接続設定完了メッセージに追加し、RRC接続設定完了メッセージをアクセスネットワークデバイスに送出してもよい。アクセスネットワークデバイスは、UEにより送出されたRRC接続設定完了メッセージを受信し、RRC接続設定完了メッセージからデバイス粒度のRRC接続非アクティブ状態指示情報を取得する。明らかに、UEは、他のRRCメッセージを使用することにより、デバイス粒度のRRC接続非アクティブ状態指示情報をアクセスネットワークデバイスに更に送出してもよい。
【０１３５】
実施例４は、RRC状態制御のための方法を提供する。この実施例における方法は、RRC接続非アクティブ状態からRRC接続状態に入るようにUEを制御するために使用される。UEのRRC接続非アクティブ状態はコアネットワークにとってトランスペアレントであるため、この実施例における方法では、UEがRRC接続非アクティブ状態に入った後に、アクセスネットワークデバイスは、ページングプロセスを開始し、UEがRRC接続非アクティブ状態からRRC接続状態に入るのをトリガーする。図５は、実施例４によるRRC状態制御のための方法のフローチャートである。図５に示すように、この実施例において提供される方法は以下のステップを含んでもよい。
【０１３６】
ステップ401.アクセスネットワークデバイスは、UEのページング情報を取得し、ページング情報は、UEページングアイデンティティと、UEのページング機会を決定するために使用される情報とを含む。
【０１３７】
この実施例では、UEページングアイデンティティは、UEの国際移動体加入者識別番号（International  Mobile  Subscriber  Identity、略称IMSI）、S一時移動体加入者識別番号（S-Temporary  Mobile  Subscriber  Identity、略称S-TMSI）又はUEのアクセス層アイデンティティでもよい。UEのアクセス層アイデンティティは、アクセスネットワークデバイスによりUEに割り当てられた識別子である。UEのアクセス層アイデンティティは、以下のもの、すなわち、再開識別子、C-RNTI、C-RNTIとECGIとの組み合わせ、及びPCIとC-RNTIとの組み合わせのうちいずれか１つでもよい。再開識別子は、UEがRRC接続非アクティブ状態に入るときに、アクセスネットワークデバイスによりUEのために生成された識別子である。再開識別子は、C-RNTIに基づいて生成されてもよく、再開識別子は、UEがRRC接続非アクティブ状態に入った後にUEを識別するために使用される。RRC接続非アクティブ状態に入った後に、UEは、他のセルに移動してもよい。その後、UEがRRC接続状態に入る必要があるとき、アクセスネットワークデバイスは、再開識別子に基づいてUEを識別してもよい。
【０１３８】
UEのページング機会を決定するために使用される情報は、ページング周期（Paging  DRX）及びUEアイデンティティインデックス（UE  Identity  Index  value）でもよい。ページング周期は、UEが在圏するセル内の初期設定のページング周期（セルシステム情報においてブロードキャストされる）又は固定値でもよい。UEアイデンティティインデックスは、UEのアクセス層アイデンティティに基づいて取得されてもよく、或いはUEのページング機会を決定するために使用される情報は、UEのアクセス層アイデンティティを少なくとも含む。アクセスネットワークデバイスは、UEのアクセス層アイデンティティに基づいて、UEのページング機会を決定する。
【０１３９】
アクセスネットワークデバイスは、UEのIMSI又はS-IMSIを認識しなくてもよい。この場合、UEがRRC接続非アクティブ状態に入る前又は後に、アクセスネットワークデバイスは、コアネットワーク又はUEからUEのIMSI又はS-IMSIを取得してもよい。アクセスネットワークデバイスは、UEのアクセス層アイデンティティを認識し、アクセス層アイデンティティをローカルで取得してもよい。
【０１４０】
ステップ402.UEがRRC接続非アクティブ状態に入った後に、アクセスネットワークデバイスは、UEのページング機会を決定するために使用される情報に基づいて、UEのページング機会を決定する。
【０１４１】
UEのページング機会は、ページング機会のフレーム番号及びサブフレーム番号を含む。アクセスネットワークデバイスは、UEがRRCアイドル状態にあるときに使用されるものと同じ計算式を使用することにより、ページング機会のフレーム番号を決定してもよい。具体的には、
SFN  mod  T  =  (T  div  N)  ×  (UE_ID  mod  N)
である。
【０１４２】
SFNはページング機会のフレーム番号であり、TはUEのページング周期の長さ（言い換えると、１つのページング周期に含まれるフレーム数）であり、NはUEのページング周期内のページングフレーム数（セルシステム情報においてブロードキャストされる）であり、UE_IDはUEアイデンティティインデックスである。UEアイデンティティインデックスの値は、UEページングアイデンティティmod  1024でもよい。ステップ401において説明した通り、UEページングアイデンティティは、UEのアクセス層アイデンティティでもよい。
【０１４３】
ページング機会のサブフレーム番号は、式：i_s  =  floor(UE_ID/N)  mod  Nsを使用してもよい。具体的な意味については、3GPP  TS  36.304プロトコルを参照し、詳細はここでは説明しない。
【０１４４】
明らかに、アクセスネットワークデバイスは、UEがRRCアイドル状態にあるときに使用されるものと異なる計算式を使用することにより、UEがRRC接続非アクティブ状態にあるときに使用されるページング機会のフレーム番号及びサブフレーム番号を決定してもよい。計算式を設計する原理は、セルの全てのページングリソースの中で異なるUEをできるだけ分散させることであり、具体的な計算式はここでは列挙しない。
【０１４５】
UEがRRC接続非アクティブ状態に入った後に、アクセスネットワークデバイスは、UEをアクティブにページングしてもよい点に留意すべきである。例えば、コアネットワークにより送出されたUEの下りリンクデータを受信したとき、アクセスネットワークデバイスは、UEの下りリンクデータに基づいて、ページングメッセージをUEに送出することを決定し、それにより、UEは、RRC接続非アクティブ状態からRRC接続状態に入る。
【０１４６】
ステップ403.アクセスネットワークデバイスは、決定されたページング機会に、ページングメッセージをUEに送出し、ページングメッセージは、UEページングアイデンティティを含む。
【０１４７】
任意選択で、UEページングアイデンティティがUEのアクセス層アイデンティティである場合、ページングメッセージは、UEアイデンティティタイプを更に含む。UEアイデンティティタイプは、アクセス層アイデンティティタイプであり、アクセス層アイデンティティタイプは、この実施例において定義される新たなタイプである。UEアイデンティティタイプは任意選択である。アクセスネットワークデバイスが既存のページングメッセージを使用することによりUEにページングする場合、ページングメッセージで搬送されるUEアイデンティティタイプがアクセス層アイデンティティタイプであることをUEに示すために、UEアイデンティティタイプが搬送される必要がある。アクセスネットワークデバイスが新たに定義されたページングメッセージを使用する場合、新たなページングメッセージは、アクセス層アイデンティティタイプを含まなくてもよい。
【０１４８】
ステップ404.UEは、UEのページング機会を決定し、決定されたページング機会に、アクセスネットワークデバイスにより送出されたページングメッセージを受信する。
【０１４９】
UEがページング機会を決定する方式は、アクセスネットワークデバイスのものと同じであり、それにより、アクセスネットワークデバイスにより決定されたページング機会は、UEにより決定されたページング機会と一致する。アクセスネットワークデバイスは、ページング機会にページングメッセージを送出し、UEは、ページング機会にページングメッセージを受信する。ページング機会を決定するとき、UEは、UEのアクセス層アイデンティティに基づいて、UEのページング機会を決定してもよい。具体的には、UEは、まず、アクセス層アイデンティティに基づいて、UEアイデンティティインデックスを決定し、UEアイデンティティインデックスに基づいて、ページング機会を更に決定する。
【０１５０】
ステップ405.UEは、ページングメッセージに基づいて、RRC接続状態に入るプロセスをアクセスネットワークデバイスに対して開始する。
【０１５１】
具体的には、アクセスネットワークデバイスにより送出されたページングメッセージを受信した後に、UEは、UEの現在のRRC状態に基づいて、RRC接続状態に入るプロセスを開始する。この実施例では、UEの現在のRRC状態はRRC接続非アクティブ状態である。次に、UEは、UEがRRC接続非アクティブ状態からRRC接続状態に入る必要があると決定する。UEは、ランダムアクセスメッセージをアクセスネットワークデバイスに送出し、アクセスネットワークデバイスは、ランダムアクセス応答をUEに返信し、ランダムアクセス応答を受信した後に、UEは、RRC接続再開要求（RRC  Connection  Resume  Request）メッセージをアクセスネットワークデバイスに送出する。UEにより送出されたRRC接続再開要求メッセージを受信した後に、アクセスネットワークデバイスは、UEのためにRRC接続を再開し、RRC接続再開（RRC  Connection  Resume）メッセージをUEに送出する。RRC接続再開要求メッセージは、UEのアクセス層アイデンティティと、ユーザ承認情報と、RRC接続設定理由とを含んでもよい。UEのアクセス層アイデンティティは、RRC接続が設定されるUEを識別するために使用される。UEがアクセスネットワークデバイスにより送出されたRRC接続再開メッセージを受信した後に、UE及びアクセスネットワークデバイスは、UEの記憶されたコンテキスト情報を使用することにより、互いに通信してもよい。
【０１５２】
RRC接続非アクティブ状態が導入され、それにより、UEがRRC接続非アクティブ状態からRRC接続状態に切り替えるとき、UEは、アクセスネットワークデバイスと４つのみのシグナリングを交換する必要があり、それにより、UEがアイドル状態から接続状態に入るときのシグナリングオーバーヘッドをかなり低減し、RRC接続状態の迅速な再開を実現する。
【０１５３】
この実施例では、アクセスネットワークデバイスは、UEのページング情報を取得し、UEがRRC接続非アクティブ状態に入った後に、UEのページング機会を決定するために使用される情報に基づいて、UEのページング機会を決定し、アクセスネットワークデバイスは、決定されたページング機会にページングメッセージを送出する。ページングメッセージは、UEページングアイデンティティを含む。アクセスネットワークデバイスは、UEをアクティブにページングし、UEがRRC接続非アクティブ状態からRRC接続状態に入るのをトリガーし、それにより、コアネットワークへの透明性を改善し、シグナリングオーバーヘッドを低減し、コアネットワークとアクセスネットワークデバイスとの間の結合を低減する。
【０１５４】
実施例４における方法では、アクセスネットワークデバイスは、UEがRRC接続状態に入るのをトリガーするために、アクティブなページングを実行する。アクセスネットワークデバイスがアクティブなページングを実行する方法であり、UEのアクセス層アイデンティティに基づく方法は、アクセス層に基づくページング機構と呼ばれてもよく、コアネットワークがページングを実行する方法は、非アクセス層に基づくページング機構と呼ばれる。非アクセス層に基づくページング機構は、既存のページング機構であり、アクセス層に基づくページング機構は、この出願において導入された新たなページング機構である。実現方法では、２つの異なるページング機構は同時に使用されてもよい。具体的には、UEは、UEの現在のRRC状態に基づいて、異なるページング機構を使用してもよい。UEがRRCアイドル状態にあるとき、UEは、従来の非アクセス層に基づくページング機構を使用する。UEがRRC接続非アクティブ状態にあるとき、UEは、アクセス層に基づくページング機構を使用する。具体的には、UEは、UEのアクセス層アイデンティティに基づいて、UEのページング機会を計算し、計算されたページング機会にページングメッセージを受信する。ページングメッセージは、UEのアクセス層アイデンティティを搬送する。
【０１５５】
実施例４に基づいて、実施例５は、RRC状態制御のための方法を提供する。この実施例について、UEページングアイデンティティがアクセス層アイデンティティである例を使用することにより説明する。図６は、実施例５によるRRC状態制御のための方法のフローチャートである。図６に示すように、この実施例において提供される方法は以下のステップを含んでもよい。
【０１５６】
ステップ501.アクセスネットワークデバイスは、RRC接続非アクティブ状態に入るコマンドをUEに送出する。
【０１５７】
ステップ502.アクセスネットワークデバイスは、コアネットワークにより送出されたUEの下りリンクデータを受信する。
【０１５８】
ステップ503.アクセスネットワークデバイスは、UEのアクセス層アイデンティティがUEページングアイデンティティであると決定し、アクセス層アイデンティティに基づいて、UEアイデンティティインデックスを生成し、UEのページング機会を決定する。
【０１５９】
具体的な生成方式について、実施例４の関係する説明を参照し、ページング機会決定方法について、実施例４の関係する説明を参照する。
【０１６０】
ステップ504.アクセスネットワークデバイスは、決定されたページング機会にページングメッセージをUEに送出し、ページングメッセージは、UEのアクセス層アイデンティティを含む。
【０１６１】
任意選択で、ページングメッセージは、UEアイデンティティタイプを更に含み、UEアイデンティティタイプは、アクセス層アイデンティティタイプであり、アクセス層アイデンティティタイプは、この実施例において定義される新たなタイプである。UEアイデンティティタイプは任意選択である。アクセスネットワークデバイスが既存のページングメッセージを使用することによりUEにページングする場合、ページングメッセージで搬送されるUEアイデンティティタイプがアクセス層アイデンティティタイプであることをUEに示すために、UEアイデンティティタイプが搬送される必要がある。アクセスネットワークデバイスが新たに定義されたページングメッセージを使用する場合、新たなページングメッセージは、アクセス層アイデンティティタイプを含まなくてもよく、初期設定のアクセス層アイデンティティである。
【０１６２】
ステップ505.アクセスネットワークデバイスは、ページング要求メッセージを隣接アクセスネットワークデバイスに送出し、ページング要求メッセージは、UEのページング情報を含む。
【０１６３】
UEの移動によって、RRC接続非アクティブ状態のUEは、在圏すべきセルを変更してもよく、ネットワーク側は、RRC接続非アクティブ状態のUEがどのアクセスネットワークデバイスのどのセルに在圏するかを認識しない。したがって、ネットワーク側は、複数のアクセスネットワークデバイスの複数のセル内でページングメッセージを送出してもよい。アクセスネットワークデバイスがセル内でページングメッセージを送出する場合、アクセスネットワークデバイスは、セルの初期設定のページング周期を使用することにより、ページング機会を決定する。UEがセルに在圏する場合、UEは、セルの初期設定のページング周期を使用することにより、ページング機会を決定する。さらに、ページング機会はまた、UEのアクセス層アイデンティティに基づいて決定される。この実施例では、アクセスネットワークデバイスは、ページングをトリガーする。RRC接続非アクティブ状態のUEの移動性をサポートするために、アクセスネットワークデバイスは、ページング要求メッセージを隣接アクセスネットワークデバイスに送出する。ページング要求メッセージは、UEにページングするように隣接アクセスネットワークデバイスに要求するために使用される。アクセスネットワークデバイスの１つ以上の隣接アクセスネットワークデバイスが存在してもよい。
【０１６４】
隣接アクセスネットワークデバイスはUEのページング情報を取得できないため、この実施例では、アクセスネットワークデバイスは、UEのページング情報をページング要求メッセージに追加し、ページング要求メッセージを隣接アクセスネットワークデバイスに送出する。ページング情報は、UEのアクセス層アイデンティティを含む。
【０１６５】
ステップ506.隣接アクセスネットワークデバイスは、ページングメッセージをUEに送出し、ページングメッセージは、UEページングアイデンティティを含む。
【０１６６】
隣接アクセスネットワークデバイスは、ページング情報に基づいて、UEのページング機会を決定し、UEにページングする。ページングメッセージに含まれるUEページングアイデンティティは、UEのアクセス層アイデンティティである。
【０１６７】
実施例４に基づいて、実施例６は、RRC状態制御のための方法を提供する。この実施例と実施例５との間の相違点は、この実施例では、アクセスネットワークデバイスがコアネットワークからUEのページング情報を取得し、UEページングアイデンティティがUEのIMSI又はS-TMSIである点である。アクセスネットワークデバイスは、コアネットワークからUEのページング情報を要求してもよい。代替として、コアネットワークは、UEのページング情報をアクセスネットワークにアクティブに送出する。図７は、実施例６によるRRC状態制御のための方法のフローチャートである。図７に示すように、この実施例において提供される方法は以下のステップを含んでもよい。
【０１６８】
ステップ601.コアネットワークは、初期コンテキスト設定要求メッセージをUEに送出し、初期コンテキスト設定要求メッセージは、UEのページング情報を含む。
【０１６９】
ページング情報は、UEページングアイデンティティと、ページング機会を決定するために使用される情報とを含み、UEページングアイデンティティは、UEのIMSI又はS-TMSIである。
【０１７０】
ステップ602.アクセスネットワークデバイスは、RRC接続非アクティブ状態に入るコマンドをUEに送出する。
【０１７１】
ステップ603.コアネットワークは、UEの下りリンクデータをアクセスネットワークデバイスに送出する。
【０１７２】
ステップ604.アクセスネットワークデバイスは、ページング情報に基づいて、ページングメッセージをUEに送出し、ページングメッセージは、UEページングアイデンティティを含む。
【０１７３】
実施例６では、コアネットワークは、UEのページング情報を初期コンテキスト設定要求メッセージに追加する。明らかに、代替として、コアネットワークは、UEのページング情報を他のメッセージに追加してもよい。代替として、アクセスネットワークデバイスは、ページング情報要求メッセージをコアネットワークに送出し、ページング情報要求メッセージは、UEのページング情報を要求するために使用され、コアネットワークは、ページング情報応答メッセージをUEに返信し、ページング情報応答メッセージは、UEのページング情報を含む。
【０１７４】
この出願の他の実施例では、代替として、アクセスネットワークデバイスは、UEからページング情報を取得してもよい。アクセスネットワークデバイスは、UEからUEのページング情報を要求してもよく、或いはUEによりアクティブに送出されたUEのページング情報を受信してもよい。例えば、UEがRRC接続非アクティブ状態に入る前に、アクセスネットワークデバイスは、ページング情報要求メッセージをUEに送出し、UEは、ページング情報応答メッセージをアクセスネットワークデバイスに返信し、ページング情報応答メッセージは、UEのページング情報を含む。代替として、UEは、ページング情報をRRC接続設定完了メッセージに追加し、RRC接続設定完了メッセージをアクセスネットワークデバイスに送出する。
【０１７５】
実施例４〜実施例６における方法は、実施例１〜実施例３における方法に付け加えられてもよいことが強調されるべきである。具体的には、UEは、実施例１〜実施例３における方法を使用することにより、RRC接続非アクティブ状態に入り、次に、実施例４〜実施例６におけるページング方法を使用することにより、RRC接続非アクティブ状態からRRC接続状態に入る。明らかに、代替として、実施例４〜実施例６における方法は、実施例１〜実施例３における方法に付け加えられなくてもよく、実施例４〜実施例６におけるページング方法は独立して使用される。
【０１７６】
図８は、実施例７によるアクセスネットワークデバイスの概略構成図である。図８に示すように、この実施例において提供されるアクセスネットワークデバイスは、第１の取得モジュール11と、第１の決定モジュール12と、送出モジュール13と、記憶モジュール14とを含む。
【０１７７】
第１の取得モジュール11は、UEのRRC接続非アクティブ状態指示情報を取得するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【０１７８】
第１の決定モジュール12は、UEがRRC接続状態を出るとき、RRC接続非アクティブ状態指示情報に基づいて、UEがRRC接続非アクティブ状態又はRRCアイドル状態に入ると決定するように構成される。送出モジュール13は、第１の決定モジュール12が、UEがRRC接続非アクティブ状態に入ると決定したとき、RRC接続非アクティブ状態に入るコマンドをUEに送出するように構成される。記憶モジュール14は、送出モジュール13がRRC接続非アクティブ状態に入るコマンドを送出した後に、UEのコンテキスト情報を記憶するように構成される。
【０１７９】
任意選択で、第１の取得モジュール11は、UEにより設定されたベアラ、ネットワークスライス及びサービスフローのうち少なくとも１つのRRC接続非アクティブ状態指示情報を取得するように具体的に構成される。対応して、第１の決定モジュール12は、UEにより設定されたベアラ、ネットワークスライス及びサービスフローのうち少なくとも１つのRRC接続非アクティブ状態指示情報に基づいて、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定し、UEにより設定されたベアラ、ネットワークスライス及びサービスフローの中の少なくとも１つのベアラ、ネットワークスライス又はサービスフローがRRC接続非アクティブ状態に適しているとき、UEがRRC接続非アクティブ状態に入ると決定し、或いはUEにより設定されたベアラ、ネットワークスライス及びサービスフローのうちどれもRRC接続非アクティブ状態に適していないとき、UEがRRCアイドル状態に入ると決定するように具体的に構成される。
【０１８０】
任意選択で、第１の取得モジュール11は、UEにより設定されたベアラ、ネットワークスライス及びサービスフローのうち少なくとも１つのRRC接続非アクティブ状態指示情報を取得し、UEのデバイス粒度のRRC接続非アクティブ状態指示情報を取得するように具体的に構成され、デバイス粒度のRRC接続非アクティブ状態指示情報は、UEの全てのベアラ、ネットワークスライス及びサービスフローがRRC接続非アクティブ状態に入るのに適しているか否かを示すために使用される。対応して、第１の決定モジュール12は、デバイス粒度のRRC接続非アクティブ状態指示情報が、UEがRRC接続非アクティブ状態に適していることを示すとき、UEがRRC接続非アクティブ状態に入ると決定し、或いはデバイス粒度のRRC接続非アクティブ状態指示情報が、UEがRRC接続非アクティブ状態に適していないことを示すとき、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定し、UEにより設定されたベアラ又はネットワークスライスの中の少なくとも１つのベアラ、ネットワークスライス又はサービスフローがRRC接続非アクティブ状態に適しているとき、UEがRRC接続非アクティブ状態に入ると決定し、或いはUEにより設定されたベアラ、ネットワークスライス及びサービスフローのうちどれもRRC接続非アクティブ状態に適していないとき、UEがRRCアイドル状態に入ると決定するように具体的に構成される。
【０１８１】
任意選択で、第１の取得モジュール11は、UEのデバイス粒度のRRC接続非アクティブ状態指示情報を取得するように具体的に構成される。対応して、第１の決定モジュール12は、デバイス粒度のRRC接続非アクティブ状態指示情報が、UEがRRC接続非アクティブ状態に適していることを示すとき、アクセスネットワークデバイスにより、UEがRRC接続非アクティブ状態に入ると決定し、或いはデバイス粒度のRRC接続非アクティブ状態指示情報が、UEがRRC接続非アクティブ状態に適していないことを示すとき、アクセスネットワークデバイスにより、UEがRRCアイドル状態に入ると決定するように具体的に構成される。
【０１８２】
任意選択で、第１の取得モジュール11は、コアネットワークにより送出されたRRC接続非アクティブ状態指示情報であり、UEのベアラ、ネットワークスライス及びサービスフローのうち少なくとも１つのものであるRRC接続非アクティブ状態指示情報を受信し、UEのベアラ、ネットワークスライス及びサービスフローの受信したRRC接続非アクティブ状態指示情報を記憶する。具体的には、第１の取得モジュール11は、コアネットワークにより送出されたベアラ追加要求メッセージ、ネットワークスライス追加要求メッセージ及びサービスフロー追加要求メッセージのうち少なくとも１つを受信し、ベアラ追加要求メッセージは、追加されるベアラのRRC接続非アクティブ状態指示情報を含み、ネットワークスライス追加要求メッセージは、追加されるネットワークスライスのRRC接続非アクティブ状態指示情報を含み、サービスフロー追加要求メッセージは、追加されるサービスフローのRRC接続非アクティブ状態指示情報を含む。
【０１８３】
任意選択で、第１の取得モジュール11は、UEにより送出されたRRC接続非アクティブ状態指示情報であり、UEのベアラ、ネットワークスライス及びサービスフローのうち少なくとも１つのものであるRRC接続非アクティブ状態指示情報を受信し、UEのベアラ、ネットワークスライス及びサービスフローの受信したRRC接続非アクティブ状態指示情報を記憶する。具体的には、第１の取得モジュール11は、UEにより送出されたベアラ追加完了メッセージ、ネットワークスライス追加完了メッセージ又はサービス設定完了メッセージのうち少なくとも１つを受信し、ベアラ追加完了メッセージは、追加されるベアラのRRC接続非アクティブ状態指示情報を含み、ネットワークスライス追加完了メッセージは、追加されるネットワークスライスのRRC接続非アクティブ状態指示情報を含み、サービス設定完了メッセージは、追加されるサービスフローのRRC接続非アクティブ状態指示情報を含む。
【０１８４】
任意選択で、第１の取得モジュール11は、デバイス粒度のものであるRRC接続非アクティブ状態指示情報であり、コアネットワーク又はUEにより送出されたRRC接続非アクティブ状態指示情報を受信し、デバイス粒度のRRC接続非アクティブ状態指示情報を記憶する。具体的には、第１の取得モジュール11は、コアネットワークにより送出された初期コンテキスト設定要求メッセージを受信し、初期コンテキスト設定要求メッセージは、デバイス粒度のRRC接続非アクティブ状態指示情報を含む。代替として、第１の取得モジュール11は、UEにより送出されたRRC接続設定完了メッセージを受信し、RRC接続設定完了メッセージは、デバイス粒度のRRC接続非アクティブ状態指示情報を含む。
【０１８５】
任意選択で、アクセスネットワークデバイスは、第４の決定モジュールを更に含む。第４の決定モジュールは、UEがRRC接続状態を出る理由を決定するように構成される。UEがRRC接続状態を出る理由が、UEが或る期間内にデータ送信を実行しないことであるとき、第１の決定モジュール12は、RRC接続非アクティブ状態指示情報に基づいて、UEがRRC接続非アクティブ状態又はRRCアイドル状態に入ると決定し、或いはUEがRRC接続状態を出る理由が、以下の理由、すなわち、アクセスネットワークデバイスがコアネットワークにより送出されたUEコンテキスト解放コマンドを受信したこと、UEのS1インタフェース接続が解放されたこと、及びアクセスネットワークデバイスが異常を識別したことのうちいずれか１つであるとき、第１の決定モジュール12は、UEがRRCアイドル状態に入ると決定するように更に構成される。
【０１８６】
この実施例において提供されるアクセスネットワークデバイスは、実施例１〜実施例３における方法を実行するように構成されてもよい。具体的な実現方式及び技術的効果は同様であり、詳細はここでは再び説明しない。
【０１８７】
図９は、実施例８によるアクセスネットワークデバイスの概略構成図である。図９に示すように、この実施例において提供されるアクセスネットワークデバイスは、第２の取得モジュール15と、第２の決定モジュール16と、送出モジュール13とを更に含む。
【０１８８】
第２の取得モジュール15は、UEのページング情報を取得するように構成され、ページング情報は、UEページングアイデンティティと、UEのページング機会を決定するために使用される情報とを含む。第２の決定モジュール16は、UEがRRC接続非アクティブ状態に入った後に、UEのページング機会を決定するために使用される情報に基づいて、UEのページング機会を決定するように更に構成される。送出モジュール13は、決定されたページング機会に、ページングメッセージをUEに送出するように構成され、ページングメッセージは、UEページングアイデンティティを含む。
【０１８９】
任意選択で、UEページングアイデンティティは、UEのアクセス層アイデンティティであり、UEのアクセス層アイデンティティは、再開識別子、C-RNTI、ECGIとC-RNTIとの組み合わせ、又はPCIとC-RNTIとの組み合わせを含む。
【０１９０】
任意選択で、ページングメッセージをUEに送出した後に、送出モジュール13は、ページング要求メッセージを隣接アクセスネットワークデバイスに送出するように更に構成され、ページング要求メッセージは、UEにページングするように隣接アクセスネットワークデバイスに要求するために使用され、ページング要求メッセージは、UEのページング情報を含む。
【０１９１】
任意選択で、ページングメッセージは、UEアイデンティティタイプを含み、UEアイデンティティタイプは、UEページングアイデンティティがアクセス層アイデンティティであることを識別するために使用される。
【０１９２】
任意選択で、第２の取得モジュール15は、コアネットワーク又はUEからUEのページング情報を要求するか、或いはコアネットワーク又はUEにより送出されたUEのページング情報を受信するように具体的に構成される。
【０１９３】
任意選択で、アクセスネットワークデバイスは、受信モジュールと、第３の決定モジュールとを更に含む。受信モジュールは、UEがRRC接続非アクティブ状態に入った後に、コアネットワークにより送出されたUEの下りリンクデータを受信するように構成される。第３の決定モジュールは、UEの下りリンクデータに基づいて、ページングメッセージをUEに送出することを決定するように構成され、それにより、UEは、RRC接続非アクティブ状態からRRC接続状態に入る。
【０１９４】
この実施例において提供されるアクセスネットワークデバイスは、実施例４〜実施例６における方法を実行するように構成されてもよい。具体的な実現方式及び技術的効果は同様であり、詳細はここでは再び説明しない。
【０１９５】
図１０は、実施例９によるUEの概略構成図である。図１０に示すように、この実施例において提供されるUEは、送出モジュール21と、受信モジュール22と、制御モジュール23と、記憶モジュール24とを含む。
【０１９６】
送出モジュール21は、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用され、UEのRRC状態は、RRC接続状態と、RRC接続非アクティブ状態と、RRCアイドル状態とを少なくとも含む。
【０１９７】
受信モジュール22は、UEがRRC接続状態を出るとき、RRC接続非アクティブ状態に入るコマンドであり、アクセスネットワークデバイスにより送出されたコマンドを受信するように構成され、RRC接続非アクティブ状態に入るコマンドは、アクセスネットワークデバイスによりUEのRRC接続非アクティブ状態指示情報に基づいて送出される。制御モジュール23は、RRC接続非アクティブ状態に入るコマンドに従って、RRC接続非アクティブ状態に入るようにUEを制御するように構成される。記憶モジュール24は、UEがRRC接続非アクティブ状態に入った後に、UEのコンテキスト情報を記憶するように構成される。
【０１９８】
この実施例では、UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含み、デバイス粒度のRRC接続非アクティブ状態指示情報は、UEの全てのベアラ、ネットワークスライス及びサービスフローがRRC接続非アクティブ状態に入るのに適しているか否かを示すために使用される。
【０１９９】
任意選択で、UEは、決定モジュールを更に含む。決定モジュールは、UEのページング機会を決定するように構成される。受信モジュール22は、決定モジュールにより決定されたページング機会に、アクセスネットワークデバイスにより送出されたページングメッセージを受信するように更に構成され、ページングメッセージは、UEページングアイデンティティを含み、UEページングアイデンティティは、UEのアクセス層アイデンティティである。制御モジュール23は、ページングメッセージに基づいて、RRC接続状態に入るプロセスをアクセスネットワークデバイスに対して開始するように更に構成される。具体的には、決定モジュールは、UEのアクセス層アイデンティティに基づいて、UEのページング機会を決定する。
【０２００】
この実施例において提供されるUEは、実施例１〜実施例６における方法を実行するように構成されてもよい。具体的な実現方式及び技術的効果は同様であり、詳細はここでは再び説明しない。
【０２０１】
図１１は、実施例１０によるコアネットワークデバイスの概略構成図である。図１１に示すように、この実施例において提供されるコアネットワークデバイスは、決定モジュール31と、送出モジュール32とを含む。
【０２０２】
決定モジュール31は、UEについての情報に基づいて、UEが接続非アクティブ状態に入るのに適しているか否かを決定するように構成され、UEのRRC状態は、RRC接続状態と、RRC接続非アクティブ状態と、RRCアイドル状態とを少なくとも含む。
【０２０３】
送出モジュール32は、決定モジュール31が、UEがRRC接続非アクティブ状態に入るのに適していると決定したとき、UEのRRC接続非アクティブ状態指示情報をアクセスネットワークデバイスに送出するように構成され、RRC接続非アクティブ状態指示情報は、UEがRRC接続非アクティブ状態に入るのに適しているか否かを示すために使用される。
【０２０４】
UEについての情報は、以下の情報、すなわち、UEのタイプ、UEの加入情報、UEのために追加されるベアラについての情報、UEのために追加されるネットワークスライスについての情報、及びUEのために追加されるサービスフローについての情報のうち少なくとも１つを含む。UEのRRC接続非アクティブ状態指示情報は、以下の情報、すなわち、UEにより設定されたベアラ、ネットワークスライス及びサービスフローのうち少なくとも１つのRRC接続非アクティブ状態指示情報、及びUEのデバイス粒度のRRC接続非アクティブ状態指示情報のうち少なくとも１つを含み、デバイス粒度のRRC接続非アクティブ状態指示情報は、UEの全てのベアラ、ネットワークスライス及びサービスフローがRRC接続非アクティブ状態に入るのに適しているか否かを示すために使用される。
【０２０５】
図１２は、実施例１１によるアクセスネットワークデバイスの概略構成図である。図１２に示すように、この実施例において提供されるアクセスネットワークデバイスは、プロセッサ41と、送信機42と、受信機43と、メモリ44とを含む。送信機42、受信機43及びメモリ44は、バスを使用することによりプロセッサ41に接続される。送信機42は、データを他のデバイスに送出するように構成される。受信機43は、他のデバイスにより送出されたデータを受信するように構成される。メモリ44は、コンピュータプログラムを記憶するように構成される。プロセッサ41は、メモリ44に記憶されたプログラムを実行するように構成され、それにより、アクセスネットワークデバイスは、方法の実施例におけるいずれかの方法を実行するように構成される。
【０２０６】
図１３は、実施例１２によるUEの概略構成図である。図１３に示すように、この実施例において提供されるUEは、プロセッサ51と、送信機52と、受信機53と、メモリ54とを含む。送信機52、受信機53及びメモリ53は、バスを使用することによりプロセッサ51に接続される。送信機52は、情報を他のデバイスに送出するように構成される。受信機53は、他のデバイスにより送出された情報を受信するように構成される。メモリ54は、コンピュータプログラムを記憶するように構成される。プロセッサ51は、メモリ54に記憶されたプログラムを実行するように構成される。この実施例におけるUEは、方法の実施例におけるいずれかの方法を実行するように構成されてもよい。
【０２０７】
図１４は、実施例１３によるコアネットワークデバイスの概略構成図である。図１４に示すように、この実施例において提供されるコアネットワークデバイスは、プロセッサ61と、送信機62と、受信機63と、メモリ64とを含む。送信機62、受信機63及びメモリ63は、バスを使用することによりプロセッサ61に接続される。送信機62は、情報を他のデバイスに送出するように構成される。受信機63は、他のデバイスにより送出された情報を受信するように構成される。メモリ64は、コンピュータプログラムを記憶するように構成される。プロセッサ61は、メモリ64に記憶されたプログラムを実行するように構成され、それにより、コアネットワークデバイスは、方法の実施例におけるいずれかの方法を実行するように構成されてもよい。
【図１】
2019515601.tif 000003
【図２】
2019515601.tif 000004
【図３】
2019515601.tif 000005
【図４】
2019515601.tif 000006
【図５】
2019515601.tif 000007
【図６】
2019515601.tif 000008
【図７】
2019515601.tif 000009
【図８】
2019515601.tif 000010
【図９】
2019515601.tif 000011
【図１０】
2019515601.tif 000012
【図１１】
2019515601.tif 000013
【図１２】
2019515601.tif 000014
【図１３】
2019515601.tif 000015
【図１４】
2019515601.tif 000016
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
無線リソース制御（RRC）状態制御のための方法であって、
アクセスネットワークデバイスにより、モバイルデバイスのRRC接続非アクティブ状態指示情報を取得するステップであり、前記RRC接続非アクティブ状態指示情報は、前記モバイルデバイスがRRC接続非アクティブ状態に入るのに適しているか否かを決定するために使用され、前記RRC接続非アクティブ状態は、RRC接続状態及びRRCアイドル状態と異なる、ステップと、
前記アクセスネットワークデバイスにより、前記RRC接続非アクティブ状態指示情報に基づいて、前記モバイルデバイスが前記RRC接続非アクティブ状態に入るのに適しているか否かを決定するステップと
を含む方法。
【請求項２】
前記アクセスネットワークデバイスにより、前記モバイルデバイスの前記RRC接続非アクティブ状態指示情報を記憶するステップと、
前記アクセスネットワークデバイスにより、前記RRC接続非アクティブ状態に入るコマンドを前記モバイルデバイスに送出するステップと
を更に含む、請求項１に記載の方法。
【請求項３】
前記モバイルデバイスの前記RRC接続非アクティブ状態指示情報は、前記モバイルデバイスのデバイス粒度である、請求項１又は２に記載の方法。
【請求項４】
前記モバイルデバイスの前記デバイス粒度の前記RRC接続非アクティブ状態指示情報は、前記モバイルデバイスの全てのベアラ、ネットワークスライス及びサービスフローが前記RRC接続非アクティブ状態に入るのに適していることを示すために使用される、請求項３に記載の方法。
【請求項５】
前記アクセスネットワークデバイスにより、前記モバイルデバイスの前記RRC接続非アクティブ状態指示情報を取得するステップは、
前記アクセスネットワークデバイスにより、コアネットワークデバイスから前記RRC接続非アクティブ状態指示情報を受信するステップを含む、請求項１乃至４のうちいずれか１項に記載の方法。
【請求項６】
前記アクセスネットワークデバイスにより、前記モバイルデバイスの前記デバイス粒度の前記RRC接続非アクティブ状態指示情報を受信することは、
前記アクセスネットワークデバイスにより、コアネットワークデバイスから初期コンテキスト設定要求メッセージを受信し、前記初期コンテキスト設定要求メッセージは、前記モバイルデバイスの前記デバイス粒度の前記RRC接続非アクティブ状態指示情報を含むことを含む、請求項３又は４に記載の方法。
【請求項７】
無線リソース制御（RRC）状態制御のための方法であって、
コアネットワークデバイスにより、モバイルデバイスについての情報に基づいて、前記モバイルデバイスがRRC接続非アクティブ状態に入るのに適していると決定するステップと、
前記コアネットワークデバイスにより、前記モバイルデバイスのRRC接続非アクティブ状態指示情報をアクセスネットワークデバイスに送出するステップであり、前記モバイルデバイスの前記RRC接続非アクティブ状態指示情報は、前記モバイルデバイスがRRC接続非アクティブ状態に入るのに適していることを示すために使用され、前記RRC接続非アクティブ状態は、RRC接続状態及びRRCアイドル状態と異なる、ステップと
を含む方法。
【請求項８】
前記モバイルデバイスの前記RRC接続非アクティブ状態指示情報は、前記モバイルデバイスのデバイス粒度であり、前記モバイルデバイスの前記RRC接続非アクティブ状態指示情報は、前記コアネットワークデバイスから前記アクセスネットワークデバイスに送出される初期コンテキスト設定要求メッセージで搬送される、請求項７に記載の方法。
【請求項９】
アクセスネットワークデバイスであって、
モバイルデバイスの無線リソース制御（RRC）接続非アクティブ状態指示情報を取得するように構成された第１の取得モジュールであり、前記RRC接続非アクティブ状態指示情報は、前記モバイルデバイスがRRC接続非アクティブ状態に入るのに適しているか否かを決定するために使用され、前記RRC接続非アクティブ状態は、RRC接続状態及びRRCアイドル状態と異なる、第１の取得モジュールと、
前記RRC接続非アクティブ状態指示情報に基づいて、前記モバイルデバイスが前記RRC接続非アクティブ状態に入るのに適しているか否かを決定するように構成された第１の決定モジュールと
を含むアクセスネットワークデバイス。
【請求項１０】
前記RRC接続非アクティブ状態に入るコマンドを前記モバイルデバイスに送出するように構成された送出モジュールと、
前記モバイルデバイスの前記RRC接続非アクティブ状態指示情報を記憶するように構成された記憶モジュールと
を更に含む、請求項９に記載のアクセスネットワークデバイス。
【請求項１１】
前記第１の取得モジュールは、コアネットワークデバイスから前記RRC接続非アクティブ状態指示情報を受信するように構成される、請求項９又は１０に記載のアクセスネットワークデバイス。
【請求項１２】
前記モバイルデバイスの前記RRC接続非アクティブ状態指示情報は、前記モバイルデバイスのデバイス粒度であり、前記第１の取得モジュールは、コアネットワークデバイスから初期コンテキスト設定要求メッセージを受信するように構成され、前記初期コンテキスト設定要求メッセージは、前記モバイルデバイスの前記RRC接続非アクティブ状態指示情報を含む、請求項９又は１０に記載のアクセスネットワークデバイス。
【請求項１３】
前記モバイルデバイスの前記デバイス粒度の前記RRC接続非アクティブ状態指示情報は、前記モバイルデバイスの全てのベアラ、ネットワークスライス及びサービスフローが前記RRC接続非アクティブ状態に入るのに適していることを示すために使用される、請求項１２に記載のアクセスネットワークデバイス。
【請求項１４】
コアネットワークデバイスであって、
決定モジュールと、送出モジュールとを含み、
前記決定モジュールは、モバイルデバイスについての情報に基づいて、前記モバイルデバイスが無線リソース制御（RRC）接続非アクティブ状態に入るのに適していると決定するように構成され、
前記送出モジュールは、前記モバイルデバイスのRRC接続非アクティブ状態指示情報をアクセスネットワークデバイスに送出するように構成され、前記モバイルデバイスの前記RRC接続非アクティブ状態指示情報は、前記モバイルデバイスがRRC接続非アクティブ状態に入るのに適していることを示すために使用され、前記RRC接続非アクティブ状態は、RRC接続状態及びRRCアイドル状態と異なる、
コアネットワークデバイス。
【請求項１５】
前記モバイルデバイスの前記RRC接続非アクティブ状態指示情報は、前記モバイルデバイスのデバイス粒度であり、前記モバイルデバイスの前記RRC接続非アクティブ状態指示情報は、前記送出モジュールにより前記アクセスネットワークデバイスに送出される初期コンテキスト設定要求メッセージで搬送される、請求項１４に記載のコアネットワークデバイス。
【請求項１６】
請求項１乃至８のうちいずれか１項に記載の方法をコンピュータに実行させるプログラムを記録したコンピュータ読み取り可能記憶媒体。
【請求項１７】
請求項１乃至８のうちいずれか１項に記載の方法をコンピュータに実行させるプログラム。
【請求項１８】
請求項９乃至１３のうちいずれか１項に記載のアクセスネットワークデバイス、及び／又は請求項１４及び１５のうちいずれか１項に記載のコアネットワークデバイスを含む通信システム。
【手続補正２】
【補正対象書類名】明細書
【補正対象項目名】００１７
【補正方法】変更
【補正の内容】
【００１７】
さらに、当該方法は、アクセスネットワークデバイスにより、UEのページング情報を取得するステップであり、ページング情報は、UEページングアイデンティティと、UEのページング機会を決定するために使用される情報とを含む、ステップと、UEがRRC接続非アクティブ状態に入った後に、アクセスネットワークデバイスにより、UEのページング機会を決定するために使用される情報に基づいて、UEのページング機会を決定するステップと、決定されたページング機会に、ページングメッセージをUEに送出するステップであり、ページングメッセージは、UEページングアイデンティティ（UE  Paging  Identity）を含む、ステップとを更に含む。アクセスネットワークデバイスは、UEをアクティブにページングし、UEがRRC接続非アクティブ状態からRRC接続状態に入るのをトリガーし、それにより、RRC接続非アクティブ状態がコアネットワークにとってトランスペアレントであり、シグナリングオーバーヘッドが低減され、コアネットワークとアクセスネットワークとの間の結合が低減される。
【手続補正３】
【補正対象書類名】明細書
【補正対象項目名】００１８
【補正方法】変更
【補正の内容】
【００１８】
任意選択で、UEページングアイデンティティは、UEのアクセス層アイデンティティである。UEのアクセス層アイデンティティは、再開識別子（Resumed  ID）、セル無線ネットワーク一時識別子（Cell  Radio  Network  Temporary  Identifier、略称C-RNTI）、E-UTRANセルグローバル識別子（E-UTRAN  Cell  Global  Identifier、略称ECGI）とC-RNTIとの組み合わせ、又は物理セル識別子（Physical  cell  Identifier、略称PCI）とC-RNTIとの組み合わせを含む。
【手続補正４】
【補正対象書類名】明細書
【補正対象項目名】００３１
【補正方法】変更
【補正の内容】
【００３１】
第１の決定モジュールは、UEがRRC接続状態を出るとき、RRC接続非アクティブ状態指示情報に基づいて、UEがRRC接続非アクティブ状態又はRRCアイドル状態に入ると決定するように構成される。送出モジュールは、第１の決定モジュールが、UEがRRC接続非アクティブ状態に入ると決定したとき、RRC接続非アクティブ状態に入るコマンドをUEに送出するように構成される。記憶モジュールは、送出モジュールがRRC接続非アクティブ状態に入るコマンドを送出した後に、UEのコンテキスト情報を記憶するように構成される。
【手続補正５】
【補正対象書類名】明細書
【補正対象項目名】００５３
【補正方法】変更
【補正の内容】
【００５３】
この出願の第６の態様は、決定モジュールと、送出モジュールとを含むコアネットワークデバイスを提供する。決定モジュールは、UEについての情報に基づいて、UEがRRC接続非アクティブ状態に入るのに適しているか否かを決定するように構成され、UEのRRC状態は、RRC接続状態と、RRC接続非アクティブ状態と、RRCアイドル状態とを少なくとも含む。
【手続補正６】
【補正対象書類名】明細書
【補正対象項目名】００９０
【補正方法】変更
【補正の内容】
【００９０】
この実施例では、UEにより設定されたベアラは、データ送信のためにUEにより現在使用され得るベアラであり、UEにより設定されたネットワークスライスは、ネットワーク側によりUEに割り当てられ且つデータ送信に使用されるネットワークスライスであり、UEにより設定されたサービスフローは、UEにより現在送信されているサービスフローである。ベアラは、コアネットワークからUEへの論理パスであり、下り方向のマッピングの観点から、基地局とコアネットワークとの間のS1  bearerと、基地局と端末との間のradio  bearerとを含む。物理リソースにマッピングされるとき、S1  bearerは、GPRSトンネリングプロトコル（GPRS  Tunneling  Protocol、略称GTP）チャネルである。radio  bearerは、パケットデータコンバージェンスプロトコル（Packet  Data  Convergence  Protocol、略称PDCP）レイヤ、無線リンク制御（Radio  Link  Control、略称RLC）レイヤ、媒体アクセス制御（Medium  Access  Control、略称MAC）レイヤ及び物理レイヤにおいて、RBリソース上の一連のリソースを含む。ベアラ内容の観点から、ベアラは、シグナリング無線ベアラ（Signaling  Radio  Bearer、略称SRB）及びデータ無線ベアラ（Data  Radio  Bearer、略称DRB）に分類される。SRBは、RRCシグナリングを搬送するために使用され、DRBは、ユーザプレーンデータを搬送するために使用される。ネットワークスライスは、１つの物理ネットワークが複数の仮想エンドツーエンドネットワークに分割され、各仮想ネットワーク（ネットワークにおけるデバイス、アクセス、送信及びコアネットワークを含む）が論理的に独立しており、１つの仮想ネットワークが故障したとき、他の仮想ネットワークが影響を受けないことを意味してもよい。サービスフローは、ネットワークスライス又はベアラ上で送信されるデータフローであり、例えば、QQサービスのデータフロー、ブラウザのデータフロー又は他のアプリケーションのデータフローである。
【手続補正７】
【補正対象書類名】明細書
【補正対象項目名】００９１
【補正方法】変更
【補正の内容】
【００９１】
UEは、ベアラのみ、又はネットワークスライスのみ、又はサービスフローのみを設定してもよい点に留意すべきである。この場合、UEのRRC接続非アクティブ状態指示情報は、UEにより設定されたベアラのRRC接続非アクティブ状態指示情報のみ、又はUEにより設定されたネットワークスライスのRRC接続非アクティブ状態指示情報のみ、又はUEにより設定されたサービスフローのRRC接続非アクティブ状態指示情報のみを含んでもよい。ベアラのRRC接続非アクティブ状態指示情報は、対応するベアラがRRC接続非アクティブ状態に入るのに適しているか否かを示すために使用され、ネットワークスライスのRRC接続非アクティブ状態指示情報は、対応するネットワークスライスがRRC接続非アクティブ状態に入るのに適しているか否かを示すために使用され、サービスフローのRRC接続非アクティブ状態指示情報は、対応するサービスフローがRRC接続非アクティブ状態に入るのに適しているか否かを示すために使用される。明らかに、UEは、ベアラ及びネットワークスライスのみ、又はベアラ及びサービスフローのみ、又はネットワークスライス及びサービスフローのみを設定してもよく、或いはベアラ、ネットワークスライス及びサービスフローを設定してもよい。UEにより設定された１つ以上のベアラ、ネットワークスライス又はサービスフローが存在してもよい。
【手続補正８】
【補正対象書類名】明細書
【補正対象項目名】００９６
【補正方法】変更
【補正の内容】
【００９６】
UEのRRC接続非アクティブ状態指示情報が、UEにより設定されたベアラ、ネットワークスライス及びサービスフローのうち少なくとも１つのRRC接続非アクティブ状態指示情報、及びUEのデバイス粒度のRRC接続非アクティブ状態指示情報であるとき、デバイス粒度のRRC接続非アクティブ状態指示情報の優先度は、ベアラ、ネットワークスライス及びサービスフローのそれぞれのRRC接続非アクティブ状態指示情報のものより高い。したがって、アクセスネットワークデバイスは、まず、デバイス粒度のRRC接続非アクティブ状態指示情報に基づいて、UEがRRC接続非アクティブ状態に適しているか否かを決定する。デバイス粒度のRRC接続非アクティブ状態指示情報が、UEがRRC接続非アクティブ状態に適していることを示すとき、アクセスネットワークデバイスは、UEがRRC接続非アクティブ状態に入ると決定し、もはや、ベアラ、ネットワークスライス及びサービスフローのRRC接続非アクティブ状態指示情報が、UEがRRC接続非アクティブ状態に入るのに適していることを示すか否かを決定する必要はない。デバイス粒度のRRC接続非アクティブ状態指示情報が、UEがRRC接続非アクティブ状態に適していないことを示すとき、アクセスネットワークデバイスは、UEにより設定されたベアラ、ネットワークスライス及びサービスフローのうち少なくとも１つのRRC接続非アクティブ状態指示情報に基づいて、UEにより設定されたベアラ、ネットワークスライス及びサービスフローの中の少なくとも１つのベアラ、ネットワークスライス又はサービスフローのRRC接続非アクティブ状態指示情報が、対応するベアラ、ネットワークスライス又はサービスフローがRRC接続非アクティブ状態に適していることを示すか否かを決定する。UEにより設定されたベアラ又はネットワークスライスの中の少なくとも１つのベアラ、ネットワークスライス又はサービスフローがRRC接続非アクティブ状態に適しているとき、アクセスネットワークデバイスは、UEがRRC接続非アクティブ状態に入ると決定する。UEにより設定されたベアラ、ネットワークスライス及びサービスフローのうちどれもRRC接続非アクティブ状態に適していないとき、アクセスネットワークデバイスは、UEがRRCアイドル状態に入ると決定する。
【手続補正９】
【補正対象書類名】明細書
【補正対象項目名】０１０４
【補正方法】変更
【補正の内容】
【０１０４】
この実施例では、コアネットワークは、UEのために追加されるベアラ、ネットワークスライス又はサービスフローについての情報に基づいて、追加されるベアラ、ネットワークスライス又はサービスフローがRRC接続非アクティブ状態に入るのに適しているか否かを決定する。例えば、データ送信が不連続的に実行されるベアラについて、コアネットワークは、RRC接続非アクティブ状態に入るのに適していると決定し、或いは不連続的なデータ送信が実行されないベアラについて、コアネットワークは、RRC接続非アクティブ状態に入るのに適していないと決定する。代替として、コアネットワークは、ベアラ、ネットワークスライス又はサービスフローのQoS要件に基づいて、RRC接続非アクティブ状態に入るのに適しているか否かを決定する。例えば、高いQoS要件を有するベアラ、ネットワークスライス又はサービスフローについて、コアネットワークは、RRC接続非アクティブ状態に入るのに適していると決定し、低いQoS要件を有するベアラ、ネットワークスライス又はサービスフローについて、コアネットワークは、RRC接続非アクティブ状態に入るのに適していないと決定する。ここで、この説明は単なる例であり、代替として、決定は、ベアラ、ネットワークスライス又はサービスフローの他の特性に基づいて実行されてもよい。
【手続補正１０】
【補正対象書類名】明細書
【補正対象項目名】０１０８
【補正方法】変更
【補正の内容】
【０１０８】
ステップ203.アクセスネットワークデバイスは、ベアラ追加応答メッセージ、ネットワークスライス追加応答メッセージ又はサービスフロー追加応答メッセージをコアネットワークに送出する。
【手続補正１１】
【補正対象書類名】明細書
【補正対象項目名】０１１０
【補正方法】変更
【補正の内容】
【０１１０】
ステップ204.アクセスネットワークデバイスは、UEがRRC接続状態を出ると決定し、UEのベアラ、ネットワークスライス及びサービスフローの記憶されたRRC接続非アクティブ状態指示情報に基づいて、UEがRRC接続非アクティブ状態に入るのに適しているか否かを決定する。
【手続補正１２】
【補正対象書類名】明細書
【補正対象項目名】０１２３
【補正方法】変更
【補正の内容】
【０１２３】
ステップ305.アクセスネットワークデバイスは、ベアラ追加応答メッセージ、ネットワークスライス追加応答メッセージ又はサービスフロー追加応答メッセージをコアネットワークに送出する。
【手続補正１３】
【補正対象書類名】明細書
【補正対象項目名】０１２４
【補正方法】変更
【補正の内容】
【０１２４】
ステップ306.アクセスネットワークデバイスは、UEがRRC接続状態を出ると決定し、UEのベアラ、ネットワークスライス及びサービスフローの記憶されたRRC接続非アクティブ状態指示情報に基づいて、UEがRRC接続非アクティブ状態に入るのに適しているか否かを決定する。
【手続補正１４】
【補正対象書類名】明細書
【補正対象項目名】０１３８
【補正方法】変更
【補正の内容】
【０１３８】
UEのページング機会を決定するために使用される方法は、ページング周期（Paging  Cycle）及びUEアイデンティティインデックス（UE  Identity  Index  value）でもよい。ページング周期は、UEが在圏するセル内の初期設定のページング周期（セルシステム情報においてブロードキャストされる）又は固定値でもよい。UEアイデンティティインデックスは、UEのアクセス層アイデンティティに基づいて取得されてもよく、或いはUEのページング機会を決定するために使用される情報は、UEのアクセス層アイデンティティを少なくとも含む。アクセスネットワークデバイスは、UEのアクセス層アイデンティティに基づいて、UEのページング機会を決定する。
【手続補正１５】
【補正対象書類名】明細書
【補正対象項目名】０１３９
【補正方法】変更
【補正の内容】
【０１３９】
アクセスネットワークデバイスは、UEのIMSI又はS-TMSIを認識しなくてもよい。この場合、UEがRRC接続非アクティブ状態に入る前又は後に、アクセスネットワークデバイスは、コアネットワーク又はUEからUEのIMSI又はS-TMSIを取得してもよい。アクセスネットワークデバイスは、UEのアクセス層アイデンティティを認識し、アクセス層アイデンティティをローカルで取得してもよい。
【手続補正１６】
【補正対象書類名】明細書
【補正対象項目名】０１４３
【補正方法】変更
【補正の内容】
【０１４３】
ページング機会のサブフレーム番号は、式：i_s  =  floor(UE_ID/N)  mod  Nsを使用することにより決定されてもよい。具体的な意味については、3GPP  TS  36.304プロトコルを参照し、詳細はここでは説明しない。
【手続補正１７】
【補正対象書類名】明細書
【補正対象項目名】０１５２
【補正方法】変更
【補正の内容】
【０１５２】
RRC接続非アクティブ状態が導入され、それにより、UEがRRC接続非アクティブ状態からRRC接続状態に切り替えるとき、UEは、アクセスネットワークデバイスと４つのみのシグナリングを交換する必要があり、それにより、UEがRRCアイドル状態からRRC接続状態に入るときのシグナリングオーバーヘッドをかなり低減し、RRC接続状態の迅速な再開を実現する。
【手続補正１８】
【補正対象書類名】明細書
【補正対象項目名】０１５３
【補正方法】変更
【補正の内容】
【０１５３】
この実施例では、アクセスネットワークデバイスは、UEのページング情報を取得し、UEがRRC接続非アクティブ状態に入った後に、UEのページング機会を決定するために使用される情報に基づいて、UEのページング機会を決定し、アクセスネットワークデバイスは、決定されたページング機会にページングメッセージを送出する。ページングメッセージは、UEページングアイデンティティを含む。アクセスネットワークデバイスは、UEをアクティブにページングし、UEがRRC接続非アクティブ状態からRRC接続状態に入るのをトリガーし、それにより、RRC接続非アクティブ状態がコアネットワークにとってトランスペアレントであり、シグナリングオーバーヘッドが低減され、コアネットワークとアクセスネットワークとの間の結合が低減される。
【手続補正１９】
【補正対象書類名】明細書
【補正対象項目名】０１６７
【補正方法】変更
【補正の内容】
【０１６７】
実施例４に基づいて、実施例６は、RRC状態制御のための方法を提供する。この実施例と実施例５との間の相違点は、この実施例では、アクセスネットワークデバイスがコアネットワークからUEのページング情報を取得し、UEページングアイデンティティがUEのIMSI又はS-TMSIである点である。アクセスネットワークデバイスは、コアネットワークからUEのページング情報を要求してもよい。代替として、コアネットワークは、UEのページング情報をアクセスネットワークデバイスにアクティブに送出する。図７は、実施例６によるRRC状態制御のための方法のフローチャートである。図７に示すように、この実施例において提供される方法は以下のステップを含んでもよい。
【手続補正２０】
【補正対象書類名】明細書
【補正対象項目名】０１８７
【補正方法】変更
【補正の内容】
【０１８７】
図９は、実施例８によるアクセスネットワークデバイスの概略構成図である。図９に示すように、この実施例において提供されるアクセスネットワークデバイスは、第２の取得モジュール15と、第２の決定モジュール16と、送出モジュール13とを含む。
【手続補正２１】
【補正対象書類名】明細書
【補正対象項目名】０２０２
【補正方法】変更
【補正の内容】
【０２０２】
決定モジュール31は、UEについての情報に基づいて、UEがRRC接続非アクティブ状態に入るのに適しているか否かを決定するように構成され、UEのRRC状態は、RRC接続状態と、RRC接続非アクティブ状態と、RRCアイドル状態とを少なくとも含む。
【手続補正２２】
【補正対象書類名】明細書
【補正対象項目名】０２０６
【補正方法】変更
【補正の内容】
【０２０６】
図１３は、実施例１２によるUEの概略構成図である。図１３に示すように、この実施例において提供されるUEは、プロセッサ51と、送信機52と、受信機53と、メモリ54とを含む。送信機52、受信機53及びメモリ54は、バスを使用することによりプロセッサ51に接続される。送信機52は、情報を他のデバイスに送出するように構成される。受信機53は、他のデバイスにより送出された情報を受信するように構成される。メモリ54は、コンピュータプログラムを記憶するように構成される。プロセッサ51は、メモリ54に記憶されたプログラムを実行するように構成される。この実施例におけるUEは、方法の実施例におけるいずれかの方法を実行するように構成されてもよい。
【手続補正２３】
【補正対象書類名】明細書
【補正対象項目名】０２０７
【補正方法】変更
【補正の内容】
【０２０７】
図１４は、実施例１３によるコアネットワークデバイスの概略構成図である。図１４に示すように、この実施例において提供されるコアネットワークデバイスは、プロセッサ61と、送信機62と、受信機63と、メモリ64とを含む。送信機62、受信機63及びメモリ64は、バスを使用することによりプロセッサ61に接続される。送信機62は、情報を他のデバイスに送出するように構成される。受信機63は、他のデバイスにより送出された情報を受信するように構成される。メモリ64は、コンピュータプログラムを記憶するように構成される。プロセッサ61は、メモリ64に記憶されたプログラムを実行するように構成され、それにより、コアネットワークデバイスは、方法の実施例におけるいずれかの方法を実行するように構成されてもよい。
【国際調査報告】
2019515601.tif 000017
2019515601.tif 000018
2019515601.tif 000019
2019515601.tif 000020